(57)【特許請求の範囲】
【請求項１】
監視対象である被監視者の所定の行動を検知して通知する、前記被監視者を監視する被監視者監視システムにおける、前記被監視者に関する監視情報を受信して表示する端末装置であって、
通信を行うための通信部と、
表示を行う表示部と、
入力操作を受け付ける入力部と、
前記被監視者の状況を確認するための状況確認処理部と、
前記監視情報を収容した監視情報通信信号を前記通信部で受信した場合に、前記監視情報通信信号に収容された前記監視情報を前記表示部に表示する表示処理部とを備え、
前記状況確認処理部は、前記監視情報にかかる前記被監視者の状況の確認を禁止する指令を通知するための状況確認機能禁止指令通信信号を前記通信部で受信した場合に、前記監視情報にかかる前記被監視者の状況を確認するための動作を禁止し、
前記状況確認処理部は、前記入力部から、前記監視情報にかかる前記被監視者に実際に対応する意思を受け付ける前に、または、前記監視情報にかかる前記被監視者に実際に対応する意思を他の端末装置で受け付けた旨を通知するための対応不要通知通信信号を前記通信部で受信する前に、前記監視情報にかかる前記禁止を解除することを指令する旨を通知するための状況確認機能解除指令通信信号を前記通信部で受信した場合に、前記監視情報にかかる前記禁止を解除する、
被監視者監視システムの端末装置。
【請求項２】
前記表示処理部は、前記状況確認機能禁止指令通信信号を前記通信部で受信した場合に、前記監視情報にかかる前記被監視者の状況を他の端末装置が確認中である旨を表す確認中情報を前記表示部に表示する、
請求項１に記載の被監視者監視システムの端末装置。
【請求項３】
前記他の端末装置が前記監視情報にかかる前記被監視者に実際に対応する意思を受け付けた場合に、前記監視情報の表示画面を消去する、
請求項１または請求項２に記載の被監視者監視システムの端末装置。
【請求項４】
前記監視情報にかかる前記被監視者の状況を確認する前記状況確認処理部の動作を実行中である場合であって、前記対応不要通知通信信号を前記通信部で受信した場合に、前記実行中の前記状況確認処理部の動作を強制終了する対応関連処理部をさらに備える、
請求項１ないし請求項３のいずれか１項に記載の被監視者監視システムの端末装置。
【請求項５】
前記被監視者の状況を確認するための状況確認モードを含む複数の動作モードを持ち、
前記状況確認モードは、前記被監視者を撮像した動画を前記表示部に表示すること、自機の音声入出力部により前記被監視者に声をかけること、および、前記被監視者と通話することのうちの少なくともいずれかである、
請求項１ないし請求項４のいずれか１項に記載の被監視者監視システムの端末装置。
【請求項６】
監視対象である被監視者の所定の行動を検知して通知する、前記被監視者を監視する被監視者監視システムにおける、前記被監視者に関する監視情報を受信して表示する端末処理方法であって、
前記被監視者の状況を確認するための状況確認処理工程と、
前記監視情報を収容した監視情報通信信号を通信部で受信した場合に、前記監視情報通信信号に収容された前記監視情報を表示部に表示する表示処理工程とを備え、
前記状況確認処理工程は、前記監視情報にかかる前記被監視者の状況の確認を禁止する指令を通知するための状況確認機能禁止指令通信信号を前記通信部で受信した場合に、前記監視情報にかかる前記被監視者の状況を確認する前記状況確認処理工程の実行を禁止し、
前記状況確認処理工程は、入力部から、前記監視情報にかかる前記被監視者に実際に対応する意思を受け付ける前に、または、前記監視情報にかかる前記被監視者に実際に対応する意思を他の端末装置で受け付けた旨を通知するための対応不要通知通信信号を前記通信部で受信する前に、前記監視情報にかかる前記禁止を解除することを指令する旨を通知するための状況確認機能解除指令通信信号を前記通信部で受信した場合に、前記監視情報にかかる前記禁止を解除する、
被監視者監視システムの端末処理方法。
【請求項７】
複数の端末装置を備え、監視対象である被監視者の所定の行動を検知して通知する、前記被監視者を監視する被監視者監視システムにおける、前記被監視者に関する監視情報を管理する中央処理装置であって、
通信を行うための通信部と、
前記監視情報を管理する監視処理部とを備え、
前記監視処理部は、前記複数の端末装置のうちの或る端末装置から、前記監視情報にかかる前記被監視者の状況を、前記被監視者の状況を確認するための状況確認処理部で確認中である旨を通知するための状況確認中通知通信信号を前記通信部で受信した場合に、前記複数の端末装置のうちの前記或る端末装置を除く他の端末装置に、前記監視情報にかかる前記被監視者の状況の確認を禁止する指令を通知するための状況確認機能禁止指令通信信号を前記通信部で送信し、
前記監視処理部は、前記複数の端末装置のうちの或る端末装置から、前記被監視者の状況の確認を終了した旨を通知するための状況確認解除通知通信信号を前記通信部で受信した場合に、前記複数の端末装置のうちの前記或る端末装置を除く他の端末装置に、前記監視情報にかかる前記禁止を解除することを指令する旨を通知するための状況確認機能解除指令通信信号を前記通信部で送信する、
被監視者監視システムの中央処理装置。
【請求項８】
前記他の端末装置が前記監視情報にかかる前記被監視者に実際に対応する意思を受け付けた場合に、前記監視情報の表示画面を消去すること
請求項７に記載の被監視者監視システムの中央処理装置。
【請求項９】
複数の端末装置を備え、監視対象である被監視者の所定の行動を検知して通知する、前記被監視者を監視する被監視者監視システムにおける、前記被監視者に関する監視情報を管理する中央処理方法であって、
前記監視情報を管理する監視処理工程を備え、
前記監視処理工程は、前記複数の端末装置のうちの或る端末装置から、前記監視情報にかかる前記被監視者の状況を、前記被監視者の状況を確認するための状況確認処理部で確認中である旨を通知するための状況確認中通知通信信号を通信部で受信した場合に、前記複数の端末装置のうちの前記或る端末装置を除く他の端末装置に、前記監視情報にかかる前記被監視者の状況の確認を禁止する指令を通知するための状況確認機能禁止指令通信信号を前記通信部で送信する禁止指令工程と、前記複数の端末装置のうちの或る端末装置から、前記被監視者の状況の確認を終了した旨を通知するための状況確認解除通知通信信号を前記通信部で受信した場合に、前記複数の端末装置のうちの前記或る端末装置を除く他の端末装置に、前記監視情報にかかる前記禁止を解除することを指令する旨を通知するための状況確認機能解除指令通信信号を前記通信部で送信する解除指令工程とを備える、
被監視者監視システムの中央処理方法。
【請求項１０】
前記他の端末装置が前記監視情報にかかる前記被監視者に実際に対応する意思を受け付けた場合に、前記監視情報の表示画面を消去する、
請求項９に記載の被監視者監視システムの中央処理方法。
【請求項１１】
監視対象である被監視者の所定の行動を検知して通知する、前記被監視者を監視する被監視者監視システムであって、
前記被監視者に関する監視情報を受信して表示するための、請求項１ないし請求項５のいずれか１項に記載の端末装置と、
前記監視情報を管理するための、請求項７に記載の中央処理装置とを備える、
被監視者監視システム。
【請求項１２】
前記他の端末装置が前記監視情報にかかる前記被監視者に実際に対応する意思を受け付けた場合に、前記監視情報の表示画面を消去する、
請求項１１に記載の被監視者監視システム。
【発明の詳細な説明】
【技術分野】
【０００１】
本発明は、監視すべき監視対象である被監視者を複数の機器を用いて監視する被監視者監視システムの端末装置および端末処理方法、前記被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看護者等よりもその増加が見込まれる。そして、我が国は、例えば２０１３年の合計特殊出生率が１．４３という少子化社会でもある。そのため、高齢な要看護者等を高齢の家族（配偶者、子、兄弟）が介護する老老介護も起きて来ている。【０００３】
要看護者等は、病院や、老人福祉施設（日本の法令では老人短期入所施設、養護老人ホームおよび特別養護老人ホーム等）等の施設に入所し、その看護や介護を受ける。このような施設では、要看護者等が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士等は、定期的に巡視することによってその安否や様子を確認している。【０００４】
しかしながら、要看護者等の増加数に対し看護師等の増加数が追い付かずに、看護業界や介護業界は、慢性的に人手不足になっている。さらに、日勤の時間帯に較べ、準夜勤や夜勤の時間帯では、看護師や介護士等の人数が減るため、一人当たりの業務負荷が増大するので、前記業務負荷の軽減が要請される。また、前記老老介護の事態は、前記施設でも例外ではなく、高齢の要看護者等を高齢の看護師等がケアすることもしばしば見られる。一般に高齢になると体力が衰えるため、健康であっても若い看護師等に比し看護等の負担が重くなり、また、その動きや判断も遅くなる。【０００５】
このような人手不足や看護師等の負担を軽減するため、看護業務や介護業務を補完する技術が求められている。このため、近年では、要看護者等の、監視すべき監視対象である被監視者を監視（モニタ）する被監視者監視技術が研究、開発されている。【０００６】
このような技術の一つとして、例えば特許文献１に開示されたナースコールシステムがある。この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態及び患者がベッド上から離れた状態のうち少なくとも一方の発生を判断して注意状態発生信号を出力する状態判断手段とを有し、前記ナースコール親機は、前記注意状態発生信号を受けて報知動作する報知手段を有する。【０００７】
一方、安否確認の点では、一人暮らしの独居者も前記要介護者等と同様であり、被監視対象者となる。【０００８】
ところで、監視すべき監視対象である被監視者を複数の機器を用いて監視する場合、監視結果は、複数の端末装置に送信され、或る端末装置が例えばナースコールに応答するなどの被監視者の状況確認を行っていると、その旨が他の端末装置に送信される。このため、前記他の端末装置のユーザ（監視者Ｂ）は、前記監視結果に前記或る端末装置のユーザ（監視者Ａ）が対処しているので、他に監視結果があればそちらに応答しようとする。前記或る端末装置のユーザ（監視者Ａ）が前記監視結果にかかる被監視者の状況に応じた対応（例えば看護、介護および介助等）を実行すればよいが、前記或る端末装置のユーザ（監視者Ａ）が前記監視結果にかかる被監視者の状況確認を行っただけで、別の所用によって、前記監視結果にかかる被監視者の状況に応じた前記対応を実行しなかった場合、この状況を、前記他の端末装置のユーザ（監視者Ｂ）は、認識することができず、前記監視結果にかかる被監視者の状況に応じた前記対応の実行が遅れてしまう虞があった。【０００９】
看護業務や介護業務では事故を防止するために正確で素早い判断およびその対応は、重要であり、対応が遅くなったために防止できたはずの事故が防止できなかったり、また被監視者に転倒などのトラブルが起きた場合に対応が遅れると重症化したりといった問題も起きる。
【先行技術文献】
【特許文献】
【００１０】
【特許文献１】特開２０１４−９０９１３号公報
【発明の概要】
【００１１】
本発明は、上述の事情に鑑みて為された発明であり、その目的は、被監視者の状況確認の状態を互いに共有でき、被監視者の状況に応じた対応をより適切なタイミングで実行できる被監視者監視システムの端末装置および端末処理方法、前記被監視者監視システムの中央処理装置および中央処理方法、ならびに、前記被監視者監視システムを提供することである。
【００１２】
本発明にかかる被監視者監視システムの端末装置および端末処理方法は、被監視者の所定の行動を検知して通知する、前記被監視者を監視する被監視者監視システムにおける、前記被監視者に関する監視情報を受信して表示する端末装置および端末処理方法であって、前記監視情報を受信してから、前記監視情報にかかる前記被監視者に実際に対応する意思を受け付けるまでに、前記被監視者の状況を確認するための状況確認モードを含む複数の動作モードを持ち、前記受信した前記監視情報にかかる前記被監視者の状況を他の端末装置が前記状況確認モードで確認中である場合、前記受信した前記監視情報にかかる前記被監視者の状況確認モードの実行を禁止する。そして、本発明は、このような端末装置を用いた被監視者監視システムならびにその中央処理装置および中央処理方法である。したがって、このような被監視者監視システムの端末装置および端末処理方法、前記被監視者監視システムの中央処理装置および中央処理方法、ならびに、前記被監視者監視システムは、被監視者の状況確認の状態を互いに共有でき、被監視者の状況に応じた対応をより適切なタイミングで実行できる。
【００１３】
上記並びにその他の本発明の目的、特徴及び利点は、以下の詳細な記載と添付図面から明らかになるであろう。
【図面の簡単な説明】
【００１４】
【図１】実施形態における被監視者監視システムの構成を示す図である。
【図２】実施形態の被監視者監視システムにおける管理サーバユニットの構成を示す図である。
【図３】実施形態の被監視者監視システムにおける携帯端末ユニットおよび検知ユニット情報テーブルの各構成を示す図である。
【図４】実施形態の被監視者監視システムにおける各ユニットに記憶される監視情報テーブルの構成を示す図である。
【図５】前記携帯端末ユニットにおける、監視情報の通知に関する動作を示すフローチャートである。
【図６】前記携帯端末ユニットに表示される待受け表示画面の一例を示す図である。
【図７】被監視者の起床の通知を受けた、前記携帯端末ユニットに表示される監視情報画面の一例を示す図である。
【図８】前記携帯端末ユニットに全画面表示で表示される監視情報画面の一例を示す図である。
【図９】前記携帯端末ユニットにおける、監視情報の通知に関する状態遷移を説明するための図である。
【図１０】前記監視サーバユニットにおける、携帯端末ユニット間の連携に関する動作を示すフローチャートである。
【図１１】前記携帯端末ユニットにおける、携帯端末ユニット間の連携に関する動作を示すフローチャートである。
【図１２】一例として、２個の携帯端末ユニット間の連携動作を説明するためのシーケンス図である。
【発明を実施するための形態】
【００１５】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１６】
本被監視者監視システムは、監視すべき（見守るべき）監視対象（見守り対象）である被監視者（見守り対象者）Ｏｂを検知して前記被監視者Ｏｂを複数の機器によって監視するものである。この被監視者監視システムの中央処理装置は、前記被監視者に関する監視情報を管理する装置であり、複数の端末装置のうちの或る端末装置から、前記監視情報にかかる前記被監視者の状況を、前記被監視者の状況を確認するための状況確認モードで確認中である旨を通知するための状況確認中通知通信信号を受信した場合に、前記複数の端末装置のうちの前記或る端末装置を除く他の端末装置に、前記監視情報にかかる前記状況確認モードの実行の禁止を指令する旨を通知するための状況確認機能禁止指令通信信号を送信する。好ましくは、この被監視者監視システムの中央処理装置は、前記複数の端末装置のいずれかから、前記監視情報にかかる前記被監視者に実際に対応する意思を受け付けた旨を通知するための対応通知通信信号を受信する前に、前記或る端末装置から、前記状況確認モードを終了した旨を通知するための状況確認解除通知通信信号を受信した場合に、前記他の端末装置へ、前記監視情報にかかる前記状況確認モードの実行の禁止を解除することを指令する旨を通知するための状況確認機能解除指令通信信号を送信するものである。この被監視者監視システムの端末装置は、前記監視情報を受信してから、前記監視情報にかかる前記被監視者に実際に対応する意思を受け付けるまでに、前記被監視者の状況を確認するための状況確認モードを含む複数の動作モードを持ち、前記受信した前記監視情報にかかる前記被監視者の状況を他の端末装置が前記状況確認モードで確認中である場合、前記受信した前記監視情報にかかる前記被監視者の状況確認モードの実行を禁止する。このような被監視者監視システムの端末装置は、好ましくは、自機または他の端末装置が前記監視情報にかかる前記被監視者に実際に対応する意思を受け付ける前に、前記受信した前記監視情報にかかる前記被監視者の状況の確認を前記他の端末装置が終了した場合、前記受信した前記監視情報にかかる前記被監視者の状況確認モードの実行の禁止を解除するものである。好ましくは、このような被監視者監視システムの端末装置は、前記受信した前記監視情報にかかる前記被監視者の状況を他の端末装置が前記状況確認モードで確認中である場合、前記受信した前記監視情報にかかる前記被監視者の状況を他の端末装置が確認中である旨を表す確認中情報を表示する。好ましくは、このような被監視者監視システムの端末装置は、前記他の端末装置が前記監視情報にかかる前記被監視者に実際に対応する意思を受け付けた場合に、前記監視情報の表示画面を消去する。好ましくは、被監視者監視システムの端末装置は、前記受信した前記監視情報にかかる前記被監視者の状況を前記状況確認モードで確認中である場合に、前記他の端末装置が前記受信した前記監視情報にかかる前記被監視者に実際に対応する意思を受け付けた場合、前記確認中の状況確認モードを強制終了する。
【００１７】
図１は、実施形態における被監視者監視システムの構成を示す図である。図２は、実施形態の被監視者監視システムにおける管理サーバユニットの構成を示す図である。図３は、実施形態の被監視者監視システムにおける携帯端末ユニットの構成を示す図である。図４は、実施形態の被監視者監視システムにおける各ユニットに記憶される監視情報テーブルおよび検知ユニット情報テーブルの各構成を示す図である。図４Ａは、監視情報テーブルを示し、図４Ｂは、検知ユニット情報テーブルを示す。
【００１８】
このような被監視者監視システムＭＳは、例えば、図１に示すように、１または複数の検知ユニット（センサユニット）ＳＵ（ＳＵ−１〜ＳＵ−４）と、管理サーバユニットＳＶと、固定端末ユニットＳＰと、１または複数の携帯端末ユニットＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数の検知ユニットＳＵ−１〜ＳＵ−４、管理サーバユニットＳＶ、固定端末ユニットＳＰおよび複数の携帯端末ユニットＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。
【００１９】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーションＳＴ等の複数の部屋を備える介護施設の建物に配設されている。
【００２０】
検知ユニットＳＵは、ネットワークＮＷを介して他のユニットＳＶ、ＳＰ、ＴＡと通信する通信機能を備え、被監視者Ｏｂを撮像して画像を生成しこの生成した画像から被監視者Ｏｂを検知する機器である。より具体的には、検知ユニットＳＵは、例えば、ネットワークを介して他のユニットＳＶ、ＳＰ、ＴＡと通信するための通信インターフェース回路（例えばＬＡＮカード等）、マイクロ波を送受信して被監視者Ｏｂの体動（例えば呼吸動作等）によって生じた前記マイクロ波のドップラシフトを検出することで被監視者Ｏｂを検知するドップラシフト方式の体動センサ、被監視者Ｏｂを撮像して画像を生成する画像センサ、前記体動センサの出力（体動センサ出力）および前記画像センサの出力（画像）に基づいて被監視者Ｏｂの検知結果として被監視者Ｏｂの状態（状況）を判定するデータ処理回路、これらを制御する制御回路およびその周辺回路を備えて構成され、前記検知結果を管理サーバユニットＳＶへ送信する。検知ユニットＳＵは、所定の他のユニットＳＶ、ＳＰ、ＴＡに前記生成した画像（静止画および動画を含む）を送信する。さらに、本実施形態では、検知ユニットＳＵは、固定端末ユニットＳＰや携帯端末ユニットＴＡ等に対してナースコールを通知するナースコール回路、および、固定端末ユニットＳＰや携帯端末ユニットＴＡ等との間で音声通話を行う通話回路を備え、ナースコールおよび音声通話が可能となっている。図１には、一例として、４個の第１ないし第４検知ユニットＳＵ−１〜ＳＵ−４が示されており、第１検知ユニットＳＵ−１は、被監視者Ｏｂの一人であるＡさんＯｂ−１の居室ＲＭ−１（不図示）に配設され、第２検知ユニットＳＵ−２は、被監視者Ｏｂの一人であるＢさんＯｂ−２の居室ＲＭ−２（不図示）に配設され、第３検知ユニットＳＵ−３は、被監視者Ｏｂの一人であるＣさんＯｂ−３の居室ＲＭ−３（不図示）に配設され、そして、第４検知ユニットＳＵ−４は、被監視者Ｏｂの一人であるＤさんＯｂ−４の居室ＲＭ−４（不図示）に配設されている。
【００２１】
固定端末ユニットＳＰは、ネットワークＮＷを介して他のユニットＳＵ、ＳＶ、ＴＡと通信する通信機能、所定の情報を表示する表示機能、および、所定の指示やデータを入力する入力機能等を備え、管理サーバユニットＳＶや携帯端末ユニットＴＡに与える所定の指示やデータを入力したり、検知ユニットＳＵで得られた検知結果や画像を表示したり等することによって、被監視者監視システムＭＳのユーザインターフェース（ＵＩ）として機能する機器である。このような固定端末ユニットＳＰは、例えば、通信機能付きのコンピュータによって構成可能である。
【００２２】
管理サーバユニットＳＶは、ネットワークＮＷを介して他のユニットＳＵ、ＳＰ、ＴＡと通信する通信機能を備え、検知ユニットＳＵから被監視者Ｏｂに関する前記検知結果を受信して被監視者Ｏｂに対する監視に関する前記監視情報を管理する機器である。このような管理サーバユニットＳＶは、例えば、図２に示すように、サーバ制御処理部（ＳＶ制御処理部）１１と、サーバ記憶部（ＳＶ記憶部）１２と、サーバ通信インターフェース部（ＳＶ通信ＩＦ部）１３とを備える。なお、管理サーバユニットＳＶは、中央処理装置の一例である。
【００２３】
ＳＶ通信ＩＦ部１３は、ＳＶ制御処理部１１に接続され、ＳＶ制御処理部１１の制御に従って通信を行うための通信デバイスである。ＳＶ通信ＩＦ部１３は、ＳＶ制御処理部１１から入力された転送すべきデータを収容した通信信号を、この被監視者監視システムＭＳのネットワークＮＷで用いられる通信プロトコルに従って生成し、この生成した通信信号をネットワークＮＷを介して他のユニットＳＵ、ＳＰ、ＴＡへ送信する。ＳＶ通信ＩＦ部１３は、ネットワークＮＷを介して他のユニットＳＵ、ＳＰ、ＴＡから通信信号を受信し、この受信した通信信号からデータを取り出し、この取り出したデータをＳＶ制御処理部１１が処理可能な形式のデータに変換してＳＶ制御処理部１１へ出力する。
【００２４】
ＳＶ記憶部１２は、ＳＶ制御処理部１１に接続され、ＳＶ制御処理部１１の制御に従って、各種の所定のプログラムおよび各種の所定のデータを記憶する回路である。前記各種の所定のプログラムには、例えば、クライアント（本実施形態では固定端末ユニットＳＰおよび携帯端末ユニットＴＡ等）の要求に応じたデータを前記クライアントに提供するサーバプログラムや、被監視者Ｏｂに対する監視に関する前記監視情報を処理する監視処理プログラム等の制御処理プログラムが含まれる。前記各種の所定のデータには、被監視者Ｏｂに対する監視に関する監視情報、検知ユニットＳＵに関する検知ユニット情報、および、通信信号の通信履歴に関する通信ログ情報等の各データが含まれる。ＳＶ記憶部１２は、例えばＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、ＳＶ記憶部１２は、前記所定のプログラムの実行中に生じるデータ等を記憶するいわゆるＳＶ制御処理部１１のワーキングメモリとなるＲＡＭ（Ｒａｎｄｏｍ  Ａｃｃｅｓｓ  Ｍｅｍｏｒｙ）等を含む。
【００２５】
ＳＶ記憶部１２は、前記監視情報を記憶するサーバ監視情報記憶部（ＳＶ監視情報記憶部）１２１、前記検知ユニット情報を記憶するサーバ検知ユニット情報記憶部（ＳＶ検知ユニット情報記憶部）１２２および通信ログ情報を記憶する通信ログ情報記憶部１２３を機能的に備えている。
【００２６】
ＳＶ監視情報記憶部１２１は、被監視者Ｏｂに対する監視に関する前記監視情報を記憶するものである。前記監視情報は、検知ユニットＳＵ、固定端末ユニットＳＰおよび携帯端末ユニットＴＡから受信した、被監視者Ｏｂに関する情報であり、検知ユニットＳＵを特定し識別するための検知ユニット識別子（検知ＩＤ）、前記検知ＩＤに対応付けられ前記検知ＩＤを持つ前記検知ユニットＳＵで被監視者Ｏｂの状態として判定された判定結果を表す情報（判定結果情報；本実施形態では起床、離床、転倒転落、微体動異常を含む）、前記検知ＩＤに対応付けられ前記検知ＩＤを持つ前記検知ユニットＳＵで被監視者Ｏｂの状態を判定した時刻を表す情報（判定時刻情報）、前記検知ＩＤに対応付けられ前記検知ＩＤを持つ前記検知ユニットＳＵで被監視者Ｏｂの状態を判定した際に用いられた被監視者Ｏｂの静止画（複数の画像を用いて判定した場合にはそのうちの１つ（例えば最終の画像））、前記検知ＩＤに対応付けられ前記検知ＩＤを持つ前記検知ユニットＳＵの通信アドレス（例えばＩＰアドレス等）、前記検知ＩＤに対応付けられ前記検知ＩＤを持つ前記検知ユニットＳＵで監視されている被監視者Ｏｂの状況を携帯端末ユニットＴＡで確認中であるか否かを示す状況確認中情報、および、前記検知ＩＤに対応付けられ前記検知ＩＤを持つ前記検知ユニットＳＵで監視されている被監視者Ｏｂに対する例えば救命、看護、介護および介助等の対応を実行する意思が携帯端末ユニットＴＡに入力されたか否かを示す対応情報等を含む。なお、前記判定時刻に代え、前記判定結果および前記画像の通報を受けた通信信号の受信時刻が用いられても良い。
【００２７】
この監視情報は、本実施形態では、テーブル形式でＳＶ監視情報記憶部１２１に記憶されている。この監視情報を登録する監視情報テーブルＭＴは、例えば、図４Ａに示すように、前記検知ＩＤを登録する検知ＩＤフィールド４２３１と、検知ＩＤフィールドに登録された検知ＩＤに対応する検知ユニットＳＵにかかる前記判定結果情報を登録する判定結果フィールド４２３２と、検知ＩＤフィールドに登録された検知ＩＤに対応する検知ユニットＳＵにかかる前記判定時刻情報を登録する判定時刻フィールド４２３３と、検知ＩＤフィールドに登録された検知ＩＤに対応する検知ユニットＳＵにかかる前記静止画を登録する静止画フィールド４２３４と、ライブ動画の取得先として、検知ＩＤフィールドに登録された検知ＩＤに対応する検知ユニットＳＵの通信アドレス（例えばＩＰアドレス等）を登録する動画フィールド４２３５と、検知ＩＤフィールドに登録された検知ＩＤに対応する検知ユニットＳＵで監視されている被監視者Ｏｂに対する前記状況確認中情報を登録する状況確認中フィールド４２３６と、検知ＩＤフィールドに登録された検知ＩＤに対応する検知ユニットＳＵで監視されている被監視者Ｏｂに対する前記対応情報を登録する対応フィールド４２３７とを備え、後述の監視情報通信信号の受信ごとにレコードを備える。状況確認中フィールド４２３６には、前記状況確認中であるか否かを示す状況確認中情報として、被監視者Ｏｂの状況を確認している状況確認中である場合には、被監視者Ｏｂの状況を確認している携帯端末ユニットＴＡの携帯端末識別子が登録され、被監視者Ｏｂの状況を確認していない非状況確認中である場合には、そのことを意味するフラグ「０」が登録される。携帯端末識別子（携帯端末ＩＤ）は、携帯端末ユニットＴＡを特定し識別するための識別子である。対応フィールド４２３７には、前記対応の意思の入否を示す対応情報を示すフラグが登録されている。例えば、本実施形態では、対応フィールド４２３７には、前記対応の意思が携帯端末ユニットＴＡに入力されたことを意味するフラグ「１」、あるいは、前記対応の意思が携帯端末ユニットＴＡに入力されていないことを意味するフラグ「０」が登録される。なお、デフォルトでは、状況確認中フィールド４２３６には、前記非状況確認中であることを意味するフラグ「０」が登録され、対応フィールド４２３７には、前記対応の意思の非入力を意味するフラグ「０」が登録される。静止画フィールド４２３４には、例えば、静止画の画像データが登録されて良く、また例えば、静止画の画像データのファイル名が登録されて良い。この図４Ａに示す例では、第１番目のレコードにおいて、検知ＩＤフィールド４２３１、判定結果フィールド４２３２、判定時刻フィールド４２３３、静止画フィールド４２３４、動画フィールド４２３５、状況確認中フィールド４２３６および対応フィールド４２３７それぞれには、「ＳＵ−１」、「起床」、「０６：３２」、「ＳＰ１」、「＊＊．＊＊．＊＊．＊＊」（＊＊は整数値）、「０」および「０」が登録されている。
【００２８】
なお、図４Ａに示す例では、監視情報テーブルＭＴは、動画フィールド４２３５を備えたが、検知ＩＤと、ライブ動画の取得先として、検知ユニットＳＵの通信アドレスとの対応関係を示すテーブルが監視情報テーブルＭＴとは別途に用意されてＳＶ監視情報記憶部１２１に記憶され、図４Ａに示す監視情報テーブルＭＴから、動画フィールド４２３５が省略されても良い。
【００２９】
ＳＶ検知ユニット情報記憶部１２２は、検知ユニットＳＵに関する前記検知ユニット情報を記憶するものである。前記検知ユニット情報は、検知ユニットＳＵにおける配設場所、および、前記検知ユニットＳＵで監視される被監視者名を含む。この検知ユニット情報は、本実施形態では、テーブル形式で検知ユニット情報記憶部４２３に記憶されている。この検知ユニット情報を登録する検知ユニット情報テーブルＤＴは、例えば、図４Ｂに示すように、検知ＩＤを登録する検知ＩＤフィールド４２４１と、前記検知ＩＤに対応付けられ前記検知ＩＤを持つ前記検知ユニットＳＵの配設場所を登録する配設場所フィールド４２４２と、前記検知ＩＤに対応付けられ前記検知ＩＤを持つ前記検知ユニットＳＵで監視される被監視者Ｏｂの名前を登録する被監視者名フィールド４２４３とを備え、検知ＩＤごとにレコードを備える。この図４Ｂに示す例では、第１番目のレコードにおいて、検知ＩＤフィールド４２４１、配設場所フィールド４２４２および被監視者名フィールド４２４３それぞれには、「ＳＵ−１」、「１０１」および「Ｋ川Ｍ子」が登録されている。
【００３０】
通信ログ情報記憶部１２３は、通信信号の通信履歴に関する前記通信ログ情報を記憶するものである。前記通信ログ情報は、通信信号を受信した時刻を示す受信時刻情報、前記通信信号の種別を示す通信信号種別情報、前記通信信号の送信元を示す送信元情報、通信信号を送信した時刻を示す送信時刻情報、前記通信信号の種別を示す通信信号種別情報、および、前記通信信号の送信先を示す送信先情報を含む。通信信号を受信した場合には、前記受信時刻情報、通信信号種別情報および送信元情報が互いに対応付けられて通信ログ情報記憶部１２３に記憶され、通信信号を送信した場合には、前記送信時刻情報、通信信号種別情報および送信先情報が互いに対応付けられて通信ログ情報記憶部１２３に記憶される。
【００３１】
ＳＶ制御処理部１１は、管理サーバユニットＳＶの各部を当該各部の機能に応じてそれぞれ制御し、検知ユニットＳＵから被監視者Ｏｂに関する前記検知結果を受信して被監視者Ｏｂの前記監視情報を管理する回路である。ＳＶ制御処理部１１は、例えば、ＣＰＵ（Ｃｅｎｔｒａｌ  Ｐｒｏｃｅｓｓｉｎｇ  Ｕｎｉｔ）およびその周辺回路を備えて構成される。ＳＶ制御処理部１１には、制御処理プログラムが実行されることによって、サーバ制御部（ＳＶ制御部）１１１およびサーバ監視処理部（ＳＶ監視処理部）１１２を機能的に備える。
【００３２】
ＳＶ制御部１１１は、管理サーバユニットＳＶの各部を当該各部の機能に応じてそれぞれ制御し、管理サーバユニットＳＶの全体制御を司るものである。
【００３３】
ＳＶ監視処理部１１２は、前記監視情報を管理するものである。より具体的には、例えば、本実施形態では、ＳＶ監視処理部１１２は、検知ユニットＳＵから後述の監視情報通信信号をＳＶ通信ＩＦ部１３で受信すると、この受信した監視情報通信信号に収容されている各情報を監視情報テーブルＭＴに登録することでＳＶ監視情報記憶部１２１に記憶し、前記監視情報通信信号に必要な修正を後述のように加えて固定端末ユニットＳＰおよび各携帯端末ユニットにＳＶ通信ＩＦ部１３で送信する。ＳＶ監視処理部１１２は、複数の携帯端末ユニットＴＡのうちの或る携帯端末ユニットＴＡから、前記監視情報にかかる前記被監視者Ｏｂの状況を確認中である旨を通知するための状況確認中通知通信信号をＳＶ通信ＩＦ部１３で受信した場合に、複数の携帯端末ユニットＴＡのうちの前記或る携帯端末ユニットＴＡを除く他の携帯端末ユニットＴＡおよび固定端末ユニットＳＰに、前記監視情報にかかる前記被監視者Ｏｂの状況の確認を禁止する指令を通知するための状況確認機能禁止指令通信信号をＳＶ通信ＩＦ部１３で送信する。ＳＶ監視処理部１１２は、複数の携帯端末ユニットＴＡのいずれかから、前記監視情報にかかる前記被監視者Ｏｂに実際に対応する意思を受け付けた旨を通知するための対応通知通信信号をＳＶ通信ＩＦ部１３で受信する前に、前記或る携帯端末ユニットＴＡから、前記状況確認の終了した旨を通知するための状況確認解除通知通信信号をＳＶ通信ＩＦ部１３で受信した場合に、前記他の携帯端末ユニットＴＡおよび固定端末ユニットＳＰへ、前記監視情報にかかる前記禁止を解除することを指令する旨を通知するための状況確認機能解除指令通信信号をＳＶ通信ＩＦ部１３で送信する。ＳＶ監視処理部１１２は、複数の携帯端末ユニットＴＡのいずれかから、前記対応通知通信信号をＳＶ通信ＩＦ部１３で受信した場合に、前記監視情報にかかる前記被監視者Ｏｂの実際の前記対応が不要になった旨を通知するための対応不要通知通信信号をＳＶ通信ＩＦ部１３で前記他の携帯端末ユニットＴＡおよび固定端末ユニットＳＰへ送信する。そして、ＳＶ監視処理部１１２は、これら上述の各通信信号の送受信の際に、各通信信号に関する各通信ログ情報を通信ログ情報記憶部１２３に記憶する。これら各通信信号の送受信において、ＳＶ監視処理部１１２は、必要に応じて、監視情報テーブルＭＴにおける状況確認中フィールド４２３６や対応フィールド４２３７を書き換えて更新する。
【００３４】
なお、管理サーバユニットＳＶは、図２に破線で示すように、必要に応じて、さらに、ＳＶ制御処理部１１に接続され例えば各種コマンドや各種データ等を入力するサーバ入力部（ＳＶ入力部）１４、ＳＶ入力部１４で入力された各種コマンドや各種データおよび被監視者Ｏｂに対する監視に関する情報等を出力するサーバ出力部（ＳＶ出力部）１５、および、外部機器との間でデータの入出力を行うサーバインターフェース部（ＳＶＩＦ部）１６等を備えても良い。
【００３５】
このような管理サーバユニットＳＶは、例えば、通信機能付きのコンピュータによって構成可能である。
【００３６】
次に、携帯端末ユニットＴＡについて説明する。携帯端末ユニットＴＡは、ネットワークＮＷを介して他のユニットＳＶ、ＳＰ、ＳＵと通信する通信機能、所定の情報を表示する表示機能、所定の指示やデータを入力する入力機能、および、音声通話を行う通話機能等を備え、管理サーバユニットＳＶや検知ユニットＳＵに与える所定の指示やデータを入力したり、管理サーバユニットＳＶからの通知によって検知ユニットＳＵで得られた前記検知結果や画像を表示したり等することによって、被監視者Ｏｂに対する監視に関する前記監視情報を受け付けて表示する機器である。なお、携帯端末ユニットＴＡは、端末装置の一例である。
【００３７】
このような携帯端末ユニットＴＡは、本実施形態では、例えば、図３に示すように、端末制御処理部（ＴＡ制御処理部）４１と、端末記憶部（ＴＡ記憶部）４２と、端末通信インターフェース部（ＴＡ通信ＩＦ部）４３と、端末音入出力部（ＴＡ音入出力部）４４と、端末入力部（ＴＡ入力部）４５と、端末表示部（ＴＡ表示部）４６と、端末インターフェース部（ＴＡＩＦ部）４７とを備える。
【００３８】
ＴＡ音入出力部４４は、ＴＡ制御処理部４１に接続され、外部の音を取得して携帯端末ユニットＴＡに入力するためのデバイスであって、ＴＡ制御処理部４１の制御に従って音を表す電気信号に応じた音を生成して出力するためのデバイスである。ＴＡ音入出力部４４は、例えば、音の音響振動を電気信号に変換するマイクロホン等と、音の電気信号を音の音響振動に変換するスピーカ等とを備えて構成される。ＴＡ音入出力部４４は、外部の音を表す電気信号をＴＡ制御処理部４４へ出力し、また、ＴＡ制御処理部４４から入力された電気信号を音の音響振動に変換して出力する。
【００３９】
ＴＡ入力部４５は、ＴＡ制御処理部４１に接続され、例えば、所定の操作を受け付け、携帯端末ユニットＴＡに入力するデバイスであり、例えば、所定の機能を割り付けられた複数の入力スイッチ等である。前記所定の操作には、例えば、ログインするためのＩＤの入力操作や、前記検知結果および前記画像を通報された被監視者Ｏｂに対する例えば看護等の前記対応を実行するか否かの入力操作等の監視する上で必要な各種操作等が含まれる。ＴＡ表示部４６は、ＴＡ制御処理部４１に接続され、ＴＡ制御処理部４１の制御に従って、ＴＡ入力部４５から入力された所定の操作内容、および、被監視者監視システムＭＳによって監視されている被監視者Ｏｂに対する監視に関する前記監視情報（例えば判定された被監視者Ｏｂの状態や画像等）等を表示するデバイスであり、例えばＬＣＤおよび有機ＥＬディスプレイ等の表示装置である。そして、本実施形態では、ＴＡ入力部４５およびＴＡ表示部４６からタッチパネルが構成されている。この場合において、ＴＡ入力部４５は、例えば抵抗膜方式や静電容量方式等の操作位置を検出して入力する位置入力デバイスである。このタッチパネルでは、ＴＡ表示部４６の表示面上に位置入力デバイスが設けられ、ＴＡ表示部４６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末ユニットＴＡに入力される。
【００４０】
ＴＡＩＦ部４７は、ＴＡ制御処理部４１に接続され、ＴＡ制御処理部４１の制御に従って、外部機器との間でデータの入出力を行うデバイスであり、例えば、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００４１】
ＴＡ通信ＩＦ部４３は、ＳＶ通信ＩＦ部１３と同様に、ＴＡ制御処理部４１に接続され、ＴＡ制御処理部４１の制御に従って通信を行うための通信デバイスである。ＴＡ通信ＩＦ部４３は、ＴＡ制御処理部４１から入力された転送すべきデータを収容した通信信号を、この被監視者監視システムＭＳのネットワークＮＷで用いられる通信プロトコルに従って生成し、この生成した通信信号をネットワークＮＷを介して他のユニットＳＵ、ＳＶ、ＳＰへ送信する。ＴＡ通信ＩＦ部４３は、ネットワークＮＷを介して他のユニットＳＵ、ＳＶ、ＳＰから通信信号を受信し、この受信した通信信号からデータを取り出し、この取り出したデータをＴＡ制御処理部４１が処理可能な形式のデータに変換してＴＡ制御処理部４１へ出力する。
【００４２】
ＴＡ記憶部４２は、ＳＶ記憶部１２と同様に、ＴＡ制御処理部４１に接続され、ＴＡ制御処理部４１の制御に従って、各種の所定のプログラムおよび各種の所定のデータを記憶する回路である。前記各種の所定のプログラムには、例えば、被監視者Ｏｂに対する監視に関する前記監視情報を処理する監視処理プログラム等の制御処理プログラムが含まれる。前記監視処理プログラムには、例えば、前記監視情報の表示に関する動作を処理する表示処理プログラムや、前記被監視者Ｏｂの状況の確認に関する動作を処理する状況確認処理プログラムや、被監視者Ｏｂに対する例えば看護等の前記対応に関する動作を処理する対応関連処理プログラム等が含まれる。前記各種の所定のデータでは、被監視者Ｏｂに対する監視に関する前記監視情報、および、検知ユニットＳＵに関する検知ユニット情報等の各データが含まれる。ＴＡ記憶部４２は、例えばＲＯＭやＥＥＰＲＯＭ等を備える。ＴＡ記憶部４２は、前記所定のプログラムの実行中に生じるデータ等を記憶するいわゆるＴＡ制御処理部４１のワーキングメモリとなるＲＡＭ等を含む。そして、ＴＡ記憶部４２は、機能的に、表示画面記憶部４２１、端末監視情報記憶部（ＴＡ監視情報記憶部）４２２および端末検知ユニット情報記憶部（ＴＡ検知ユニット情報記憶）４２３を備えている。
【００４３】
表示画面記憶部４２１は、ＴＡ制御処理部４１における後述の表示処理部４１２１の制御に従って、ＴＡ表示部４６に表示するための画像を記憶するものであり、例えばＶＲＡＭ（ビデオメモリ）等である。表示画面記憶部４２１に記憶されるプレーンサイズは、通常、ＴＡ表示部４６の画面表示領域のサイズと同等であるが、複数の監視情報通信信号が受信されると、１つの監視情報通信信号に収容された監視情報を表示する監視情報画面は、前記通常のプレーンサイズで形成され、前記複数の監視情報通信信号それぞれに対応する複数の監視情報画面は、互いに時系列に連結されてプレーンに形成されるので、この複数の監視情報通信信号が受信された場合のプレーンサイズは、複数の監視情報画面の個数に応じたサイズとなる。このプレーンに形成された複数の監視情報画面のうち、ＴＡ表示部４６の画面表示領域のサイズに応じた部分だけが、表示処理部４１２１によって、ＴＡ入力部４５で受け付けた入力操作に応じてＴＡ表示部４６に表示される。
【００４４】
ＴＡ監視情報記憶部４２２は、被監視者Ｏｂに対する監視に関する前記監視情報を記憶するものである。ＴＡ監視情報記憶部４２２は、ＳＶ監視情報記憶部１２１と同様に、図４Ａを用いて上述した監視情報テーブルＭＴに前記監視情報を登録することで、前記監視情報を記憶する。
【００４５】
ＴＡ検知ユニット情報記憶部４２３は、検知ユニットＳＵに関する前記検知ユニット情報を記憶するものである。ＴＡ検知ユニット情報記憶部４２３は、ＳＶ検知ユニット情報記憶部１２２と同様に、図４Ｂを用いて上述した検知ユニット情報テーブルＤＴに前記検知ユニット情報を登録することで、前記検知ユニット情報を記憶する。
【００４６】
ＴＡ制御処理部４１は、携帯端末ユニットＴＡの各部を当該各部の機能に応じてそれぞれ制御し、前記被監視者Ｏｂの状況を確認するための状況確認モードを含む複数の動作モードで、被監視者Ｏｂに対する監視に関する監視情報を処理するための回路である。ＴＡ制御処理部４１は、ＳＶ制御処理部１１と同様に、例えば、ＣＰＵおよびその周辺回路を備えて構成される。ＴＡ制御処理部４１は、制御処理プログラムが実行されることによって、端末制御部（ＴＡ制御部）４１１および端末監視処理部（ＴＡ監視処理部）４１２を機能的に備え、ＴＡ監視処理部４１２は、表示処理部４１２１、状況確認処理部４１２２および対応関連処理部４１２３を機能的に備える。
【００４７】
ＴＡ制御部４１１は、携帯端末ユニットＴＡの各部を当該各部の機能に応じてそれぞれ制御し、携帯端末ユニットＴＡの全体制御を司るものである。
【００４８】
ＴＡ監視処理部４１２は、被監視者Ｏｂに対する監視に関する前記監視情報を処理するものである。より具体的には、ＴＡ監視処理部４１２は、前記監視情報通信信号をＴＡ通信ＩＦ部４３で受信した場合に、この受信した監視情報通信信号に収容された被監視者Ｏｂの前記監視情報を監視情報テーブルＭＴに登録することで前記監視情報をＴＡ監視情報記憶部４２２に記憶する。
【００４９】
表示処理部４１２１は、前記監視情報の表示に関する動作を処理するものである。より具体的には、表示処理部４１２１は、例えば、前記監視情報通信信号をＴＡ通信ＩＦ部４３で受信した場合に、この受信した監視情報通信信号に収容された被監視者Ｏｂの前記監視情報を表示する監視情報画面５２を表示画面記憶部４２１に形成してＴＡ表示部４６に表示する。表示処理部４１２１は、前記状況確認機能禁止指令通信信号をＴＡ通信ＩＦ部４３で受信した場合に、この受信した前記状況確認機能禁止指令通信信号で指定された被監視者Ｏｂの状況を他の携帯端末ユニットＴＡが確認中である旨を表す確認中情報をＴＡ表示部４６に表示する。前記確認中情報は、例えば、後述するように、他機状況確認中画面５４における状況確認中メイン領域５４１に表示される（後述の図１２参照）。
【００５０】
状況確認処理部４１２２は、前記被監視者Ｏｂの状況の確認に関する動作を処理するものである。より具体的には、状況確認処理部４１２２は、例えば、前記状況確認機能禁止指令通信信号をＴＡ通信ＩＦ部４３で受信した場合に、この受信した状況確認機能禁止指令通信信号で指定された被監視者Ｏｂの状況を確認する動作を禁止する。状況確認処理部４１２２は、自機のＴＡ入力部４５から、前記受信した状況確認機能禁止指令通信信号で指定された被監視者Ｏｂに実際に対応する意思を受け付ける前に、または、前記受信した状況確認機能禁止指令通信信号で指定された被監視者Ｏｂに実際に対応する意思を他の携帯端末ユニットＴＡで受け付けた旨を通知するための前記対応不要通知通信信号をＴＡ通信ＩＦ部４３で受信する前に、前記受信した状況確認機能禁止指令通信信号で指令された前記禁止を解除することを指令する旨を通知するための前記状況確認機能解除指令通信信号をＴＡ通信ＩＦ部４３で受信した場合に、前記受信した状況確認機能禁止指令通信信号で指令された前記禁止を解除する。そして、この前記状況確認機能解除指令通信信号をＴＡ通信ＩＦ部４３で受信した場合に、表示処理部４１２１は、前記監視情報を状況確認可能な状態でＴＡ表示部４６に表示する。状況確認処理部４１２２は、被監視者Ｏｂの状況を確認するための入力操作、例えば後述の「話す」ボタン５２５の入力操作や「ＬＩＶＥを見る」ボタン５２６の入力操作を受け付けると、被監視者Ｏｂの状況を確認中である旨を通知するための状況確認中通知通信信号をＴＡ通信ＩＦ部４３で管理サーバユニットＳＶへ送信する。状況確認処理部４１２２は、被監視者Ｏｂの状況の確認が終了した場合に、前記状況確認の終了した旨を通知するための状況確認解除通知通信信号をＴＡ通信ＩＦ部４３で管理サーバユニットＳＶへ送信する。これら各通信信号の送受信において、状況確認処理部４１２２は、必要に応じて、監視情報テーブルＭＴにおける状況確認中フィールド４２３６や対応フィールド４２３７を書き換えて更新する。
【００５１】
対応関連処理部４１２３は、被監視者Ｏｂに対する例えば看護等の前記対応に関する動作を処理するものである。より具体的には、例えば、対応関連処理部４１２３は、被監視者Ｏｂに実際に対応する意思を入力するための入力操作、例えば後述の「対応する」ボタン５２４の入力操作を受け付けると、前記被監視者Ｏｂに実際に対応する意思を受け付けた旨を通知するための対応通知通信信号をＴＡ通信ＩＦ部４３で管理サーバユニットＳＶへ送信する。対応関連処理部４１２３は、状況確認処理部４１２２が被監視者Ｏｂの状況を確認する動作の実行中である場合であって、前記対応不要通知通信信号をＴＡ通信ＩＦ部４３で受信した場合に、状況の確認中の被監視者Ｏｂが前記対応不要通知通信信号で指定された者であるときは、前記実行中の状況確認処理部４１２２の動作を強制終了する。対応関連処理部４１２３は、前記対応通知通信信号を送信した場合に、前記対応通知通信信号に収容された検知ＩＤにかかる監視情報画面を表示画面記憶部４２１から削除（消去）する。対応関連処理部４１２３は、前記対応不要通知通信信号を受信した場合に、前記対応不要通知通信信号に収容された検知ＩＤにかかる監視情報画面を表示画面記憶部４２１から削除（消去）する。これら各通信信号の送受信において、対応関連処理部４１２３は、必要に応じて、監視情報テーブルＭＴにおける状況確認中フィールド４２３６や対応フィールド４２３７を書き換えて更新する。
【００５２】
このような携帯端末ユニットＴＡは、例えば、いわゆるタブレット型コンピュータやスマートフォンや携帯電話機等の、持ち運び可能な通信端末装置によって構成可能である。
【００５３】
次に、本実施形態の動作について説明する。このような構成の被監視者監視システムＭＳでは、各ユニットＳＵ、ＳＶ、ＳＰ、ＴＡは、電源が投入されると、必要な各部の初期化を実行し、その稼働を始める。管理サーバユニットＳＶでは、その制御処理プログラムの実行によって、ＳＶ制御処理部１１には、ＳＶ制御部１１１およびＳＶ監視処理部１１２が機能的に構成され、携帯端末ユニットＴＡでは、その制御処理プログラムの実行によって、ＴＡ制御処理部４１には、ＴＡ制御部４１１およびＴＡ監視処理部４１２が機能的に構成され、ＴＡ監視処理部４１２には、表示処理部４１２１、状況確認処理部４１２２および対応関連処理部４１２３が機能的に構成される。
【００５４】
そして、上記構成の被監視者監視システムＭＳは、大略、次の動作によって、各被監視者Ｏｂそれぞれを監視している。検知ユニットＳＵは、所定のサンプリング周期で前記体動センサの出力および前記画像センサの出力をサンプリングし、このサンプリングした前記体動センサの出力および前記画像センサの出力に基づいて被監視者Ｏｂの状態（状況）を判定し、この判定の結果、被監視者Ｏｂが予め設定された状態（例えば、本実施形態では、起床、離床、転倒転落および微体動異常等）であると判定すると、自機の検知ＩＤ、被監視者Ｏｂの状態として判定された判定結果を表す判定結果情報、その判定時刻を表す判定時刻情報、その判定の際に用いられた被監視者Ｏｂの静止画（複数の画像を用いて判定した場合にはそのうちの１つ（例えば最終の画像））の画像データ、および、動画像をダウンロードする通信先として自機の通信アドレス（例えばＩＰアドレス）等を収容した通信信号（監視情報通信信号）をネットワークＮＷを介して管理サーバユニットＳＶへ送信する。前記自機の通信アドレスは、ヘッダに収容された送信元の通信アドレスが兼用されても良い。検知ユニットＳＵは、公知技術によって被監視者Ｏｂの状態（状況）を判定できる。例えば、検知ユニットＳＵは、前記体動センサによって被監視者Ｏｂの呼吸動作に伴う胸部の体動（胸部の上下動）を検出し、その胸部の体動における周期の乱れや予め設定された閾値以下である前記胸部の体動における振幅を検知すると、前記微体動異常であると判定する。また例えば、検知ユニットＳＵは、前記画像センサによって被監視者Ｏｂの画像を取得し、この取得した画像から被監視者Ｏｂの人物領域を検出し、この検出した人物領域の縦横比から被監視者Ｏｂの姿勢（例えば立位、座位および横臥等）を判定し、この検出した人物領域の位置を検出し、これら判定、検出した被監視者Ｏｂの姿勢および位置に基づいて前記起床、離床および転倒転落の別を判定する。
【００５５】
管理サーバユニットＳＶは、前記監視情報通信信号をネットワークＮＷを介して検知ユニットＳＵから受信すると、この監視情報通信信号に収容された検知ＩＤ、判定結果情報、判定時刻情報、静止画の画像データおよび動画像を得るための通信アドレスを、監視情報テーブルＭＴに登録することで、これらを互いに対応付けてＳＶ監視情報記憶部１２１に記憶（記録）する。なお、監視情報テーブルＭＴに前記各情報を登録する際に、ＳＶ監視処理部１１２は、その状況確認中フィールド４２３６および対応フィールド４２３７それぞれにはデフォルトのフラグ「０」を登録する。そして、管理サーバユニットＳＶは、この監視情報通信信号を固定端末ユニットＳＰおよび携帯端末ユニットＴＡに向け例えばブロードキャストやマルチキャストの同報通信で送信する。これによって被監視者Ｏｂの状態（状況）が報知される。なお、送信元の通信アドレスが動画を得るための通信アドレスとして兼用されている場合には、管理サーバユニットＳＶによる監視情報通信信号の転送によって送信元の通信アドレスは、管理サーバユニットＳＶの通信アドレスとなるので、管理サーバユニットＳＶは、ヘッダに収容されている送信元の検知ユニットＳＵの通信アドレスを、監視情報通信信号のペイロードに収容してから前記監視情報通信信号を同報通信する。なお、管理サーバユニットＳＶは、前記監視情報通信信号を、前記監視情報通信信号を送信した検知ユニットＳＵに予め対応付けたれた携帯端末ユニットＴＡにユニキャストで送信しても良い。
【００５６】
固定端末ユニットＳＰおよび携帯端末ユニットＴＡは、前記監視情報通信信号をネットワークＮＷを介して管理サーバユニットＳＶから受信すると、この監視情報通信信号に収容された被監視者Ｏｂの監視に関する前記監視情報を表示する。携帯端末ユニットＴＡによるこの監視情報を表示する動作については、以下で詳述する。このような動作によって、被監視者監視システムＭＳは、各検知ユニットＳＵ、管理サーバユニットＳＶ、固定端末ユニットＳＰおよび携帯端末ユニットＴＡによって、大略、各被監視者Ｏｂを検知して各被監視者Ｏｂを監視している。
【００５７】
次に、被監視者監視システムＭＳにおける、被監視者Ｏｂの監視に関する前記監視情報を表示する動作およびそれに関連する動作について、説明する。図５は、前記携帯端末ユニットにおける、監視情報の通知に関する動作を示すフローチャートである。図６は、前記携帯端末ユニットに表示される待受け表示画面の一例を示す図である。図７は、被監視者の起床の通知を受けた、前記携帯端末ユニットに表示される監視情報画面の一例を示す図である。図８は、前記携帯端末ユニットに全画面表示で表示される監視情報画面の一例を示す図である。図９は、前記携帯端末ユニットにおける、監視情報の通知に関する状態遷移を説明するための図である。
【００５８】
図５において、携帯端末ユニットＴＡは、電源が投入されて起動し、例えば看護師や介護士等の監視者（ユーザ）によるログイン操作を受け付けると、ＴＡ監視処理部４１２によって、自機宛の通信信号を待ち受ける待受け画面をＴＡ表示部４６に表示する（Ｓ１１）。この待受け画面５１は、例えば、図６に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末ユニットＴＡにログインしているユーザ名を表示するユーザ名領域５１５とを備える。
【００５９】
次に、携帯端末ユニットＴＡは、ＴＡ制御部４１１によって、ＴＡ通信ＩＦ部４３で通信信号を受信したか否かを判断する（Ｓ１２）。この判断の結果、通信信号を受信していない場合（Ｎｏ）には、携帯端末ユニットＴＡは、処理をＳ１１に戻し、前記判断の結果、通信信号を受信している場合（Ｙｅｓ）には、携帯端末ユニットＴＡは、次の処理Ｓ１３を実行する。
【００６０】
この処理Ｓ１３では、通信信号を受信すると、携帯端末ユニットＴＡは、ＴＡ監視処理部４１２によって、この受信した通信信号が監視情報通信信号であるか否かを判定する。この判定の結果、前記受信した通信信号が監視情報通信信号ではない場合（Ｎｏ）には、携帯端末ユニットＴＡは、ＴＡ制御処理部４１によって、前記受信した通信信号に応じた適宜な処理を実行し（Ｓ２１）、処理を処理Ｓ１２に戻す。なお、前記受信した通信信号に応じた適宜な処理は、一例として、図１１を用いて後述する。一方、前記判定の結果、前記受信した通信信号が監視情報通信信号である場合（Ｙｅｓ）には、携帯端末ユニットＴＡは、ＴＡ監視処理部４１２によって、前記受信した監視情報通信信号に収容されている検知ＩＤ、判定結果情報、判定時刻情報、静止画の画像データおよび動画像を得るための通信アドレスを、監視情報テーブルＭＴに登録することで、これらを互いに対応付けてＴＡ監視情報記憶部４２２に記憶し（Ｓ１４）、処理Ｓ１５を実行する。なお、監視情報テーブルＭＴに前記各情報を登録する際に、ＴＡ監視処理部４１２は、その状況確認中フィールド４２３６および対応フィールド４２３７それぞれにはデフォルトのフラグ「０」を登録する。
【００６１】
処理Ｓ１５では、携帯端末ユニットＴＡは、表示処理部４１２１によって、前記受信した監視情報通信信号に収容されている検知ＩＤと同じ検知ＩＤを収容した監視情報通信信号を、前記受信した監視情報通信信号より前に（過去に）既に受信し、この既に受信した監視情報通信信号の監視情報画面が表示のために作成されている否かを判定する。より具体的には、表示処理部４１２１は、前記受信した監視情報通信信号に収容されている検知ＩＤと同じ検知ＩＤが、対応フィールド４２３７にフラグ「０」を登録するレコードの検知ＩＤフィールド４２３１に登録されているか否かを判定することによって、前記既に受信し、この既に受信した監視情報通信信号の監視情報画面が表示のために作成されている否かを判定する。この判定の結果、前記受信した監視情報通信信号に収容されている検知ＩＤと同じ検知ＩＤが、対応フィールド４２３７にフラグ「０」を登録するレコードの検知ＩＤフィールド４２３１に登録されていない場合、同じ検知ＩＤの監視情報通信信号を既に受信していないと判定し（Ｎｏ）、携帯端末ユニットＴＡは、処理Ｓ１６を実行し、一方、前記判定の結果、前記受信した監視情報通信信号に収容されている検知ＩＤと同じ検知ＩＤが、対応フィールド４２３７にフラグ「０」を登録するレコードの検知ＩＤフィールド４２３１に登録されている場合、同じ検知ＩＤの監視情報通信信号を既に受信していると判定し（Ｙｅｓ）、携帯端末ユニットＴＡは、処理Ｓ１７を実行する。
【００６２】
この処理Ｓ１６では、携帯端末ユニットＴＡは、表示処理部４１２１によって、前記受信した監視情報通信信号に収容されている各情報（各データ）に従った監視情報画面を新たに表示画面記憶部４２１に形成し、この形成した監視情報画面をＴＡ表示部４６に表示する。
【００６３】
この監視情報画面は、被監視者Ｏｂの監視に関する前記監視情報を表示するための画面である。前記監視情報画面５２（５２ａ）は、例えば、図７に示すように、メニューバー領域５１１と、検知ＩＤの検知ユニットＳＵの配設場所および前記検知ＩＤの前記検知ユニットＳＵによって監視される被監視者Ｏｂの名前を表示する被監視者名領域５２１と、判定時刻（または受信時刻）からの経過時間および判定結果を象徴的に表すアイコンを表示するアイコン領域５２２と、前記検知ＩＤの前記検知ユニットＳＵによって撮像された画像（ここでは静止画）を表示する画像領域５２３ａと、「対応する」ボタン５２４と、「話す」ボタン５２５と、「ＬＩＶＥを見る」ボタン５２６とを備える。「対応する」ボタン５２４は、前記検知ＩＤの前記検知ユニットＳＵによって監視される被監視者Ｏｂに対する例えば看護等の前記対応を実行する意思が当該携帯端末ユニットＴＡのユーザにあることを当該携帯端末ユニットＴＡに入力するためのボタンであって、前記意思が入力されたことを固定端末ユニットＳＰおよび他の携帯端末ユニットＴＡに報知させる指示を、当該携帯端末ユニットに入力するためのボタンである。「話す」ボタン５２５は、前記検知ＩＤの前記検知ユニットＳＵと当該携帯端末ユニットＴＡとをネットワークＮＷを介して通話可能に接続する指示を入力するためのボタンである。「ＬＩＶＥを見る」ボタン５２６は、前記検知ＩＤの前記検知ユニットＳＵによって撮像される動画を表示させる指示を入力するためのボタンである。
【００６４】
前記受信した監視情報通信信号に収容されている各情報に従った監視情報画面５２ａを作成するために、表示処理部４１２１は、前記受信した監視情報通信信号に収容されている検知ＩＤに対応する配設場所および被監視者名をＴＡ検知ユニット情報記憶部４２３から前記検知ＩＤを検索キーとして検索し、前記受信した監視情報通信信号に収容されている判定時刻からの経過時間を求め、前記受信した監視情報通信信号に収容されている判定結果に対応するアイコンをＴＡ記憶部４２から前記判定結果を検索キーとして検索する。なお、各判定結果に対応する各アイコンは、各判定結果に対応付けられてＴＡ記憶部４２に予め記憶される。そして、表示処理部４１２１は、メニューバーをメニューバー領域５１１に表示し、前記検索した配設場所および被監視者名を被監視者名領域５２１に表示し、前記求めた経過時間および前記検索したアイコンをアイコン領域５２２に表示し、前記受信した監視情報通信信号に収容されている画像（静止画）を画像領域５２３ａに表示し、「対応する」ボタン５２４、「話す」ボタン５２５、および、「ＬＩＶＥを見る」ボタン５２６を表示することで監視情報画面５２ａを作成する。そして、表示処理部４１２１は、この新たに作成した監視情報画面５２ａをＴＡ表示部４６に表示する。
【００６５】
なお、携帯端末ユニットＴＡは、ＴＡ制御処理部４１によって、ＴＡ入力部４５およびＴＡ表示部４６を備えて成るタッチパネルで前記入力操作として「タップ」を受け付けると、画像領域５２３ａを全画面表示の画像領域５２３ｂに代えた監視情報画面５２ｂをＴＡ表示部４６に表示するように、構成されても良い。この監視情報画面５２ｂは、例えば、図８に示すように、メニューバー領域５１１と、被監視者名領域５２１と、前記検知ＩＤの前記検知ユニットＳＵによって撮像された画像（ここでは静止画）を、メニューバー領域５１１および被監視者名領域５２１を除いた残余の領域全面で表示する全画面表示の画像領域５２３ｂとを備える。この全画面表示によって、監視者（ユーザ）は、被監視者Ｏｂの様子をより詳細に認識することができる。
【００６６】
図５に戻って、処理Ｓ１７では、携帯端末ユニットＴＡは、表示処理部４１２１によって、前記受信した監視情報通信信号に収容されている各情報（各データ）に従って監視情報画面５２ａを更新し、この更新した監視情報画面をＴＡ表示部４６に表示する。
【００６７】
前記受信した監視情報通信信号に収容されている各情報に従って監視情報画面５２を更新するために、表示処理部４１２１は、前記受信した監視情報通信信号に収容されている判定時刻からの経過時間を求め、前記受信した監視情報通信信号に収容されている判定結果に対応するアイコンをＴＡ記憶部４２から前記判定結果を検索キーとして検索する。そして、表示処理部４１２１は、既に表示されている監視情報画面５２に対し、前記求めた経過時間および前記検索したアイコンをアイコン領域５２２に表示し、前記受信した監視情報通信信号に収容されている画像（静止画）を画像領域５２３ａに表示することで監視情報画面５２を更新する。ここで、アイコン領域５２２には、既に受信していた監視情報通信信号に収容された判定結果に応じてアイコンが表示されているので、今般の前記検索したアイコンは、この既に表示されているアイコンに対して時系列に並べられてアイコン領域５２２に表示される。例えば、被監視者Ｏｂの判定結果「起床」が報知された後に、その判定結果「離床」が報知された場合、図７に示す、被監視者Ｏｂの判定結果「起床」を表すアイコンがアイコン領域５２２に表示されている監視情報画面５２ａは、被監視者Ｏｂの判定結果「離床」を表すアイコンが前記判定結果「起床」を表すアイコンに対する紙面左隣に並べてアイコン領域５２２に表示されて更新される。そして、表示処理部４１２１は、この更新した監視情報画面５２ａをＴＡ表示部４６に表示する。
【００６８】
処理Ｓ１６の次に、または、処理Ｓ１７の次に、携帯端末ユニットＴＡは、ＴＡ制御処理部４１によって、ＴＡ入力部４５およびＴＡ表示部４６を備えて成るタッチパネルで入力操作を受け付けたか否かを判定する（Ｓ１８）。この判定の結果、入力操作を受け付けていない場合（Ｎｏ）には、携帯端末ユニットＴＡは、処理を処理Ｓ１８に戻し、一方、前記判定の結果、入力操作を受け付けている場合には、携帯端末ユニットＴＡは、次の処理Ｓ１９を実行する。
【００６９】
この処理Ｓ１９では、携帯端末ユニットＴＡは、ＴＡ制御処理部４１によって、入力操作の内容に応じた適宜な処理を実行し、この前記監視情報の表示動作を終了する。
【００７０】
この入力操作の内容に応じた適宜な処理の一例について、図９を用いてさらに説明する。携帯端末ユニットＴＡは、前記被監視者Ｏｂの状況を確認するための状況確認モードを含む複数の動作モードを持ち、所定の通信信号の受信や入力操作の受付によって各モード間を遷移する。より具体的には、本実施形態では、複数の動作モードは、待ち受けモード、静止画表示モード、ＬＩＶＥ映像表示モードおよび声かけモードを備えて成り、これら各モードは、図９に示すように、所定の通信信号の受信や入力操作の受付によって遷移する。
【００７１】
待ち受けモードは、上述の待受け画面５１をＴＡ表示部４６に表示する動作モードであり、上述の処理Ｓ１１ないし処理Ｓ１３に相当する。この待ち受けモードでは、監視情報通信信号をＴＡ通信ＩＦ部４３で受信すると、待ち受けモードから静止画表示モードへ遷移する（Ｃ１）。
【００７２】
静止画表示モードは、上述の監視情報画面５２ａをＴＡ表示部４６に表示する動作モードであり、上述の処理Ｓ１４ないし処理Ｓ１８に相当する。この静止画表示モードでは、「ＬＩＶＥを見る」ボタン５２６の入力操作を受け付けると、静止画表示モードからＬＩＶＥ映像表示モードへ遷移する（Ｃ２）。「話す」ボタン５２５の入力操作を受け付けると、静止画表示モードから声かけモードへ遷移する（Ｃ４）。「対応する」ボタン５２４の入力操作を受け付けると、ＴＡ表示部４６に表示している監視情報画面５２ａの他に監視情報画面５２ａがある場合には、静止画表示モードが維持され、ＴＡ表示部４６に表示している監視情報画面５２ａの他に監視情報画面５２ａがない場合には、静止画表示モードから待ち受けモードへ遷移する（Ｃ６−１）。
【００７３】
ＬＩＶＥ映像表示モードは、検知ユニットＳＵによって撮像された動画をＴＡ表示部４６に表示する動作モードであり、状況確認モードの一例に相当する。上述の処理Ｓ１８で、携帯端末ユニットＴＡは、「ＬＩＶＥを見る」ボタン５２６の入力操作を受け付けると、ＴＡ制御処理部４１によって、ＬＩＶＥ映像表示モードに遷移し、上述の処理Ｓ１９の一例として、携帯端末ユニットＴＡは、ＴＡ監視処理部４１２の表示処理部４１２１および状況確認処理部４１２２によって、現在、ＴＡ表示部４６に表示している被監視者Ｏｂを監視する検知ユニットＳＵと、ネットワークＮＷを介して動画のダウンロード可能に接続され、例えばストリーミング再生によって、監視情報画面５２ｃの画像領域５２３ａ（あるいは、前記「タップ」によって切り替わった画像領域５２３ｂ）には、被監視者Ｏｂの動画が表示される（Ｃ２）。このＬＩＶＥ映像が表示される監視情報画面５２ｃには、「ＬＩＶＥを見る」ボタン５２６に代え、「ＬＩＶＥ終了」ボタン５２７が設けられる。「ＬＩＶＥ終了」ボタン５２７は、ＬＩＶＥ映像表示モードの終了の指示を入力するためのボタンである。そして、携帯端末ユニットＴＡは、状況確認処理部４１２２によって、被監視者Ｏｂの状況を確認中である旨を通知するための状況確認中通知通信信号を管理サーバユニットＳＶへ送信する。この状況確認中通知通信信号には、被監視者Ｏｂの状況を確認中である旨を表す状況確認中情報、被監視者Ｏｂの状況を確認している携帯端末ユニットＴＡを示す情報としての自機の携帯端末ＩＤ、および、状況を確認している被監視者Ｏｂを検知（撮像）している検知ユニットＳＵの検知ＩＤが収容される。なお、この状況確認中通知通信信号には、ＬＩＶＥ映像によって被監視者Ｏｂの状況を確認している旨を表す情報（ＬＩＶＥ映像確認中情報）が収容されても良い。
【００７４】
ＬＩＶＥ映像表示モードでは、携帯端末ユニットＴＡは、「ＬＩＶＥ終了」ボタン５２７の入力操作を受け付けると、ＴＡ監視処理部４１２の表示処理部４１２１および状況確認処理部４１２２によって、ＬＩＶＥ映像表示モードを終了して、静止画表示モードに遷移し（戻り）、状況確認処理部４１２２によって、前記状況確認の終了した旨を通知するための状況確認解除通知通信信号を管理サーバユニットＳＶへ送信する（Ｃ３）。この状況確認解除通知通信信号には、被監視者Ｏｂの状況確認を終了した旨を表す状況確認終了情報、被監視者Ｏｂの状況確認を終了した携帯端末ユニットＴＡを示す情報としての自機の携帯端末ＩＤ、および、状況確認の終了した被監視者Ｏｂを検知（撮像）している検知ユニットＳＵの検知ＩＤが収容される。
【００７５】
ＬＩＶＥ映像表示モードでは、携帯端末ユニットＴＡは、「話す」ボタン５２５の入力操作を受け付けると、ＴＡ監視処理部４１２の表示処理部４１２１および状況確認処理部４１２２によって、ＬＩＶＥ映像表示モードを終了して、声かけモードに遷移する（Ｃ７）。携帯端末ユニットＴＡは、「対応する」ボタン５２４の入力操作を受け付けると、ＴＡ監視処理部４１２によって、ＴＡ表示部４６に表示している監視情報画面５２ａの他に監視情報画面５２ａがある場合には、静止画表示モードが維持され、ＴＡ表示部４６に表示している監視情報画面５２ａの他に監視情報画面５２ａがない場合には、ＬＩＶＥ映像表示モードから待ち受けモードへ遷移する（Ｃ６−２）。
【００７６】
声かけモードは、検知ユニットＳＵによって検知されている被監視者Ｏｂに声をかける、あるいは、通話する動作モードであり、状況確認モードの他の一例に相当する。上述の処理Ｓ１８で、携帯端末ユニットＴＡは、「話す」ボタン５２５の入力操作を受け付けると、ＴＡ制御処理部４１によって、声かけモードに遷移し、上述の処理Ｓ１９の一例として、携帯端末ユニットＴＡは、ＴＡ監視処理部４１２の表示処理部４１２１および状況確認処理部４１２２によって、現在、ＴＡ表示部４６に表示している被監視者Ｏｂを検知する検知ユニットＳＵと、ネットワークＮＷを介して通話可能に接続され（Ｃ４）、当該携帯端末ユニットＴＡのユーザ（監視者）は、前記検知ユニットＳＵによって検知されている被監視者Ｏｂと通話可能となる。この声かけモードの声かけ画面５３は、メニューバー領域５１１と、被監視者名領域５２１と、アイコン領域５２２と、通話可能であることを表すメッセージ（例えば「通話中です」）およびアイコンを表示する声かけメイン領域５３１と、「対応する」ボタン５２４と、「終了」ボタン５２８とを備える。「終了」ボタン５２８は、声かけモードの終了の指示を入力するためのボタンである。そして、携帯端末ユニットＴＡは、状況確認処理部４１２２によって、被監視者Ｏｂの状況を確認中である旨を通知するための状況確認中通知通信信号を管理サーバユニットＳＶへ送信する。この状況確認中通知通信信号には、被監視者Ｏｂの状況を確認中である旨を表す状況確認中情報、被監視者Ｏｂの状況を確認している携帯端末ユニットＴＡを示す情報としての自機の携帯端末ＩＤ、および、状況を確認している被監視者Ｏｂを検知（撮像）している検知ユニットＳＵの検知ＩＤが収容される。なお、この状況確認中通知通信信号には、声かけ（通話）によって被監視者Ｏｂの状況を確認している旨を表す情報（声かけ確認中情報）が収容されても良い。
【００７７】
声かけモードでは、携帯端末ユニットＴＡは、「終了」ボタン５２８の入力操作を受け付けると、ＴＡ監視処理部４１２の表示処理部４１２１および状況確認処理部４１２２によって、声かけモードを終了して、静止画表示モードに遷移し（戻り）、状況確認処理部４１２２によって、前記状況確認の終了した旨を通知するための状況確認解除通知通信信号を管理サーバユニットＳＶへ送信する（Ｃ５）。この状況確認解除通知通信信号には、被監視者Ｏｂの状況確認を終了した旨を表す状況確認終了情報、被監視者Ｏｂの状況確認を終了した携帯端末ユニットＴＡを示す情報としての自機の携帯端末ＩＤ、および、状況確認の終了した被監視者Ｏｂを検知（撮像）している検知ユニットＳＵの検知ＩＤが収容される。
【００７８】
声かけモードでは、携帯端末ユニットＴＡは、「対応する」ボタン５２４の入力操作を受け付けると、ＴＡ監視処理部４１２によって、ＴＡ表示部４６に表示している監視情報画面５２ａの他に監視情報画面５２ａがある場合には、静止画表示モードが維持され、ＴＡ表示部４６に表示している監視情報画面５２ａの他に監視情報画面５２ａがない場合には、声かけモードから待ち受けモードへ遷移する（Ｃ６−３）。
【００７９】
そして、上述のように、対応するボタン５２４の入力操作を受け付けると（Ｃ６−１、Ｃ６−２、Ｃ６−３）、携帯端末ユニットＴＡは、ＴＡ監視処理部４１２の対応関連処理部４１２３によって、現在、ＴＡ表示部４６に表示している被監視者Ｏｂの監視情報に対応する検知ＩＤを検知ＩＤフィールド４２３１に登録しているレコードにおける、対応フィールド４２３７にフラグ「１」を登録し、当該携帯端末ユニットＴＡにログインしている監視者（ユーザ）が、現在、ＴＡ表示部４６に表示している被監視者Ｏｂに実際に対応する意思を受け付けた旨を通知するための対応通知通信信号を管理サーバユニットＳＶへ送信し、ＴＡ表示部４６に表示している被監視者Ｏｂの監視情報画面５２ａを削除する。この対応通知通信信号には、被監視者Ｏｂに実際に対応する意思を受け付けた旨を表す対応受付情報、被監視者Ｏｂに実際に対応する意思を受け付けた携帯端末ユニットＴＡを示す情報としての自機の携帯端末ＩＤ、および、監視者が対応する被監視者Ｏｂを示す情報として、「対応する」ボタン５２４の入力操作を受け付けたＴＡ表示部４６に表示していた被監視者Ｏｂの監視情報に対応する検知ＩＤが収容される。
【００８０】
次に、上述のように、携帯端末ユニットＴＡから管理サーバユニットＳＶへ送信される状況確認中通知通信信号、状況確認解除通知通信信号および対応通知通信信号等を受信した場合における管理サーバユニットＳＶの動作について説明する。図１０は、前記監視サーバユニットにおける、携帯端末ユニット間の連携に関する動作を示すフローチャートである。
【００８１】
図１０において、管理サーバユニットＳＶは、通信信号をＳＶ通信ＩＦ部１３で受信すると（Ｓ３１）、ＳＶ監視処理部１１２によって、この受信した通信信号の種別を判定する（Ｓ３２）。この判定の結果、管理サーバユニットＳＶは、前記受信した通信信号が状況確認中通知通信信号である場合（状況確認中）には処理Ｓ３３を実行し、前記受信した通信信号が状況確認解除通知通信信号である場合（状況確認解除）には処理Ｓ３４を実行し、前記受信した通信信号が対応通知通信信号である場合（対応通知）には処理Ｓ３５を実行し、そして、前記受信した通信信号が状況確認中通知通信信号、状況確認解除通知通信信号および対応通知通信信号のいずれでもない場合（その他）には処理Ｓ３６を実行する。
【００８２】
この処理Ｓ３３では、まず、管理サーバユニットＳＶは、いずれの被監視者Ｏｂに対しいずれの監視者が状況確認中であるかということをＳＶ監視情報記憶部１２１に記憶するために、ＳＶ監視処理部１１２によって、被監視者Ｏｂの状況を確認している携帯端末ユニットＴＡ（誰が）を示す情報、および、被監視者Ｏｂの状況の確認に用いられている検知ユニットＳＵ（誰を）を示す情報それぞれとして、処理Ｓ３１で受信した前記状況確認中通知通信信号に収容されている携帯端末ＩＤおよび検知ＩＤを取り出す。そして、管理サーバユニットＳＶは、ＳＶ監視処理部１１２によって、この取り出した検知ＩＤを検知ＩＤフィールド４２３１に登録し、かつ、状況確認中フィールド４２３６および対応フィールド４２３７それぞれにフラグ「０」を登録しているレコードを検索し、この検索したレコードにおける状況確認中フィールド４２３６に、前記取り出した携帯端末ＩＤを登録して更新する。これによって、前記携帯端末ＩＤを持つ携帯端末ユニットＴＡのユーザ（監視者）が前記検知ＩＤを持つ検知ユニットＳＵによって検知されている被監視者Ｏｂに対しその状況を確認している事態が、監視情報テーブルＭＴに登録され、前記事態が、ＳＶ監視情報記憶部１２１に記憶される。次に、管理サーバユニットＳＶは、この事態を固定端末ユニットＳＰおよび携帯端末ユニットＴＡに報知して他の携帯端末ユニットＴＡが二重に前記被監視者Ｏｂの状況を確認することを回避するために、前記状況確認モード（本実施形態ではＬＩＶＥ映像表示モードおよび声かけモード）の実行の禁止を指令する旨を通知するための状況確認機能禁止指令通信信号をＳＶ通信ＩＦ１３で同報通信する。この状況確認機能禁止指令通信信号には、前記状況確認モードの実行の禁止を指令する命令の情報（状況確認モード実行禁止コマンド情報）が収容され、被監視者Ｏｂの状況を確認している携帯端末ユニットＴＡ（誰が）を示す情報、および、前記状況確認モードの実行を禁止する対象の検知ユニットＳＵ（誰の）を示す情報それぞれとして、前記状況確認中通知通信信号から取り出した携帯端末ＩＤおよび検知ＩＤそれぞれが収容される。なお、前記状況確認機能禁止指令通信信号には、状況の確認に使用されている状況確認モードの種別（上述の例では、ＬＩＶＥ映像確認中情報、声かけ確認中情報）が収容されても良い。そして、管理サーバユニットＳＶは、ＳＶ監視処理部１１２によって、前記状況確認中通知通信信号の受信および前記状況確認機能禁止指令通信信号の送信それぞれに関する各通信ログ情報を通信ログ情報記憶部１２３に記憶する。
【００８３】
この処理Ｓ３４では、まず、管理サーバユニットＳＶは、いずれの被監視者Ｏｂに対する状況確認をいずれの監視者が終了したかということをＳＶ監視情報記憶部１２１に記憶するために、ＳＶ監視処理部１１２によって、被監視者Ｏｂの状況の確認を終了した携帯端末ユニットＴＡ（誰が）を示す情報、および、状況確認が終了された検知ユニットＳＵ（誰を）を示す情報それぞれとして、処理Ｓ３１で受信した前記状況確認解除通知通信信号に収容されている携帯端末ＩＤおよび検知ＩＤを取り出す。そして、管理サーバユニットＳＶは、ＳＶ監視処理部１１２によって、この取り出した検知ＩＤおよび携帯端末ＩＤそれぞれを検知ＩＤフィールド４２３１および状況確認中フィールド４２３６それぞれに登録し、かつ、対応フィールド４２３７にフラグ「０」を登録しているレコードを検索し、この検索したレコードにおける状況確認中フィールド４２３６にフラグ「０」を登録して更新する。これによって、前記携帯端末ＩＤを持つ携帯端末ユニットＴＡのユーザ（監視者）が前記検知ＩＤを持つ検知ユニットＳＵによって検知されている被監視者Ｏｂに対しその状況確認を終了した事態が、監視情報テーブルＭＴに登録され、前記事態が、ＳＶ監視情報記憶部１２１に記憶される。次に、管理サーバユニットＳＶは、この事態を固定端末ユニットＳＰおよび携帯端末ユニットＴＡに報知して他の携帯端末ユニットＴＡが前記被監視者Ｏｂの状況を確認可能とするために、前記状況確認モード（本実施形態ではＬＩＶＥ映像表示モードおよび声かけモード）の実行の禁止を解除することを指令する旨を通知するための状況確認機能解除指令通信信号をＳＶ通信ＩＦ１３で同報通信する。この状況確認機能解除指令通信信号には、前記状況確認モードの実行禁止の解除を指令する命令の情報（状況確認モード実行解除コマンド情報）が収容され、被監視者Ｏｂの状況の確認を終了した携帯端末ユニットＴＡ（誰が）を示す情報、および、前記状況確認モードの実行の禁止を解除する対象の検知ユニットＳＵ（誰の）を示す情報それぞれとして、前記状況確認解除通知通信信号から取り出した携帯端末ＩＤおよび検知ＩＤそれぞれが収容される。そして、管理サーバユニットＳＶは、ＳＶ監視処理部１１２によって、前記状況確認解除通知通信信号の受信および前記状況確認機能解除指令通信信号の送信それぞれに関する各通信ログ情報を通信ログ情報記憶部１２３に記憶する。
【００８４】
この処理Ｓ３５では、まず、管理サーバユニットＳＶは、いずれの被監視者Ｏｂに対しいずれの監視者が例えば看護等の前記対応の意思を表明したかということをＳＶ監視情報記憶部１２１に記憶するために、ＳＶ監視処理部１１２によって、被監視者Ｏｂの前記対応を行う携帯端末ユニットＴＡの監視者（誰が）を示す情報、および、前記監視者によって前記対応が行われる、検知ユニットＳＵによって検知されている被監視者Ｏｂ（誰を）を示す情報それぞれとして、処理Ｓ３１で受信した前記対応通知通信信号に収容されている携帯端末ＩＤおよび検知ＩＤを取り出す。次に、管理サーバユニットＳＶは、ＳＶ監視処理部１１２によって、この取り出した検知ＩＤおよび携帯端末ＩＤそれぞれを検知ＩＤフィールド４２３１および状況確認中フィールド４２３６それぞれに登録し、かつ、対応フィールド４２３７にフラグ「０」を登録しているレコードを検索し、この検索したレコードにおける状況確認中フィールド４２３６および対応フィールド４２３７それぞれにフラグ「０」およびフラグ「１」それぞれを登録して更新する。これによって、前記携帯端末ＩＤを持つ携帯端末ユニットＴＡのユーザ（監視者）が前記検知ＩＤを持つ検知ユニットＳＵによって検知されている被監視者Ｏｂに対し前記対応の意思が表明された事態が、監視情報テーブルＭＴに登録され、前記事態が、ＳＶ監視情報記憶部１２１に記憶される。そして、管理サーバユニットＳＶは、この事態を固定端末ユニットＳＰおよび携帯端末ユニットＴＡに報知して他の携帯端末ユニットＴＡが二重に前記被監視者Ｏｂに対し前記対応を行うことを回避するために、被監視者Ｏｂの実際の前記対応が不要になった旨を通知するための対応不要通知通信信号をＳＶ通信ＩＦ１３で同報通信する。この対応不要通知通信信号には、被監視者Ｏｂの実際の前記対応が不要になった旨を表す情報（対応不要情報）が収容され、被監視者Ｏｂに対し前記対応の意思が表明された携帯端末ユニットＴＡの監視者（誰が）を示す情報、および、前記対応の不要となった対象である、検知ユニットＳＵによって検知されている被監視者Ｏｂ（誰の）を示す情報それぞれとして、前記対応通知通信信号から取り出した携帯端末ＩＤおよび検知ＩＤそれぞれが収容される。そして、管理サーバユニットＳＶは、ＳＶ監視処理部１１２によって、前記対応通知通信信号の受信および前記対応不要通知通信信号の送信それぞれに関する各通信ログ情報を通信ログ情報記憶部１２３に記憶する。
【００８５】
この処理Ｓ３６では、管理サーバユニットＳＶは、ＳＶ監視処理部１１２によって、前記受信した通信信号に応じた適宜な処理を実行し、これら各通信信号の受信に伴う動作を終了する。
【００８６】
なお、管理サーバユニットＳＶは、ＳＶ監視情報記憶部１２１に記憶されている監視情報テーブルＭＴを参照することによって、判定時刻から所定時間（例えば５分、１０分および２０分等）経過しており、前記対応の意思が表明されていないレコードが存在する場合には、前記対応の意思が表明されていない旨を固定端末ユニットＳＰや携帯端末ユニットＴＡに報知しても良い。より具体的には、管理サーバユニットＳＶは、ＳＶ監視処理部１１２によって、監視情報テーブルＭＴから、前記所定時間以上の経過している判定時刻を判定時刻フィールド４２３３に登録し、かつ、対応フィールド４２３７にフラグ「０」を登録しているレコードを検索し、この検索したレコードの検知ＩＤフィールド４２３１から検知ＩＤを取り出す。そして、管理サーバユニットＳＶは、ＳＶ監視処理部１１２によって、未対応であることを表す情報（未対応情報）および未対応である対象を示す情報として前記取り出した検知ＩＤを収容した通信信号（未対応警告通信信号）をＳＶ通信ＩＦ部で同報通信する。これによって未対応状態の継続が低減され、被監視者Ｏｂのストレスが低減される。この際に、管理サーバユニットＳＶは、ＳＶ監視処理部１１２によって、通信ログ情報を参照することで、対応フィールド４２３７に登録されているフラグの真偽を検証するように構成されても良い。これによってより確実に前記未対応状態の継続が低減できる。
【００８７】
次に、上述のように、管理サーバユニットＳＶから同報通信される状況確認機能禁止指令通信信号、状況確認機能解除指令通信信号および対応不要通知通信信号等を受信した場合における携帯端末ユニットＴＡの動作について説明する。この動作は、図５を用いて説明した処理Ｓ２１における処理の１つとして実行される。図１１は、前記携帯端末ユニットにおける、携帯端末ユニット間の連携に関する動作を示すフローチャートである。
【００８８】
図１１において、携帯端末ユニットＴＡは、ＴＡ監視処理部４１２によって、この受信した通信信号の種別を判定する（Ｓ４１）。この判定の結果、携帯端末ユニットＴＡは、前記受信した通信信号が状況確認機能禁止指令通信信号である場合（状況確認機能禁止指令）には処理Ｓ４２を実行し、前記受信した通信信号が状況確認機能解除指令通信信号である場合（状況確認機能解除指令）には処理Ｓ４４を実行し、前記受信した通信信号が対応不要通知通信信号である場合（対応不要）には処理Ｓ４５を実行し、そして、前記受信した通信信号が状況確認機能禁止指令通信信号、状況確認機能解除指令通信信号および対応不要通知通信信号のいずれでもない場合（その他）には処理Ｓ４８を実行する。ここで、前記状況確認機能禁止指令通信信号、前記状況確認機能解除指令通信信号および前記対応不要通知通信信号に自機の携帯端末ＩＤが収容されている場合には、これら各通信信号は、自機では無用であるので、これら各通信信号の受信に伴う動作を終了し、次の処理Ｓ４２ないし処理Ｓ４８は、実行されない。
【００８９】
この処理Ｓ４２では、まず、携帯端末ユニットＴＡは、いずれの被監視者Ｏｂに対しいずれの監視者が状況確認中であるかということをＴＡ監視情報記憶部４２２に記憶するために、ＴＡ監視処理部４１２によって、被監視者Ｏｂの状況を確認している携帯端末ユニットＴＡ（誰が）を示す情報、および、被監視者Ｏｂの状況の確認に用いられている検知ユニットＳＵ（誰を）を示す情報それぞれとして、処理Ｓ１２で受信した前記状況確認機能禁止指令通信信号に収容されている携帯端末ＩＤおよび検知ＩＤを取り出す。そして、携帯端末ユニットＴＡは、ＴＡ監視処理部４１２によって、この取り出した検知ＩＤを検知ＩＤフィールド４２３１に登録し、かつ、状況確認中フィールド４２３６および対応フィールド４２３７それぞれにフラグ「０」を登録しているレコードを検索し、この検索したレコードにおける状況確認中フィールド４２３６に、前記取り出した携帯端末ＩＤを登録して更新する。これによって、前記携帯端末ＩＤを持つ携帯端末ユニットＴＡのユーザ（監視者）が前記検知ＩＤを持つ検知ユニットＳＵによって検知されている被監視者Ｏｂに対しその状況を確認している事態が、監視情報テーブルＭＴに登録され、前記事態が、ＴＡ監視情報記憶部４２２に記憶される。そして、携帯端末ユニットＴＡは、ＴＡ監視処理部４１２の表示処理部４１２１によって、他の携帯端末ユニットＴＡによって被監視者Ｏｂの状況を確認中である旨を表示する他機状況確認中画面５４（後述の図１２参照）をＴＡ表示部４６に表示する。この他機状況確認中画面５４は、メニューバー領域５１１と、被監視者名領域５２１と、アイコン領域５２２と、画像領域５２３ａと、他の携帯端末ユニットＴＡによって被監視者Ｏｂの状況を確認中であることを表すメッセージ（例えば「○○さん  ＬＩＶＥ確認中です」）を表示する状況確認中メイン領域５４１とを備える。
【００９０】
次に、携帯端末ユニットＴＡにおけるＴＡ監視処理部４１２の状況確認処理部４１２２は、自機が二重に前記被監視者Ｏｂの状況を確認することを回避するために、この受信した状況確認機能禁止指令通信信号で指定された被監視者Ｏｂの状況を確認する動作を禁止し（Ｓ４３）、これら各通信信号の受信に伴う動作を終了する。より具体的には、状況確認モードの実行の指示が入力操作された場合に、本実施形態では、「話す」ボタン５２５や「ＬＩＶＥを見る」ボタン５２６の入力操作を受け付けた場合に、状況確認処理部４１２２は、この入力操作を受け付けた監視情報画面５２にかかる検知ＩＤを検知ＩＤフィールド４２３１に登録し、かつ、対応フィールド４２３７にフラグ「０」を登録しているレコードにおける状況確認中フィールド４２３６を参照し、この参照した状況確認中フィールド４２３６に他機の携帯端末ＩＤが登録されている場合には、この入力操作を無効とし、状況確認モード（この例では声かけモードやＬＩＶＥ映像表示モード）を実行しない。ここで、表示処理部４１２１は、監視情報画面５２を表示する際に、状況確認中フィールド４２３６を参照し、この参照した状況確認中フィールド４２３６に他機の携帯端末ＩＤが登録されている場合には、監視情報画面５２における「話す」ボタン５２５および「ＬＩＶＥを見る」ボタン５２６を、入力可能状態とは異なる態様で表示することで、「話す」ボタン５２５および「ＬＩＶＥを見る」ボタン５２６の入力操作ができないこと（入力不能状態）を表示しても良い。前記入力不能状態は、例えばグレーアウトや点滅等で表示される。一方、状況確認処理部４１２２は、前記参照した状況確認中フィールド４２３６にフラグ「０」が登録されている場合には、この入力操作を有効とし、状況確認モード（この例では声かけモードやＬＩＶＥ映像表示モード）を実行する。
【００９１】
この処理Ｓ４４では、まず、携帯端末ユニットＴＡは、いずれの被監視者Ｏｂに対する状況確認をいずれの監視者が終了したかということをＴＡ監視情報記憶部４２２に記憶するために、ＴＡ監視処理部４１２によって、被監視者Ｏｂの状況の確認を終了した携帯端末ユニットＴＡ（誰が）を示す情報、および、状況確認が終了された検知ユニットＳＵ（誰を）を示す情報それぞれとして、処理Ｓ１２で受信した前記状況確認機能解除指令通信信号に収容されている携帯端末ＩＤおよび検知ＩＤを取り出す。そして、携帯端末ユニットＴＡは、ＴＡ監視処理部４１２によって、この取り出した検知ＩＤおよび携帯端末ＩＤそれぞれを検知ＩＤフィールド４２３１および状況確認中フィールド４２３６それぞれに登録し、かつ、対応フィールド４２３７にフラグ「０」を登録しているレコードを検索し、この検索したレコードにおける状況確認中フィールド４２３６にフラグ「０」を登録して更新する。これによって、前記携帯端末ＩＤを持つ携帯端末ユニットＴＡのユーザ（監視者）が前記検知ＩＤを持つ検知ユニットＳＵによって検知されている被監視者Ｏｂに対しその状況確認を終了した事態が、監視情報テーブルＭＴに登録され、前記事態が、ＴＡ監視情報記憶部４２２に記憶される。そして、これによって、状況確認中フィールド４２３６にフラグ「０」が登録されることで、状況確認モードの実行が可能となり、その禁止が解除される。このため、当該携帯端末ユニットＴＡのユーザ（監視者）は、必要に応じて前記状況確認を禁止された後に解除された被監視者Ｏｂの状況を確認できる。そして、携帯端末ユニットＴＡは、これら各通信信号の受信に伴う動作を終了する。
【００９２】
この処理Ｓ４５では、まず、携帯端末ユニットＴＡは、いずれの被監視者Ｏｂに対しいずれの監視者が例えば看護等の前記対応の意思を表明したかということをＴＡ監視情報記憶部４２２に記憶するために、ＴＡ監視処理部４１２によって、被監視者Ｏｂの前記対応を行う携帯端末ユニットＴＡの監視者（誰が）を示す情報、および、前記監視者によって前記対応が行われる、検知ユニットＳＵによって検知されている被監視者Ｏｂ（誰を）を示す情報それぞれとして、処理Ｓ１２で受信した前記対応不要通知通信信号に収容されている携帯端末ＩＤおよび検知ＩＤを取り出す。次に、携帯端末ユニットＴＡは、対応関連処理部４１２３によって、状況確認処理部４１２２が前記取り出した検知ＩＤを持つ検知ユニットＳＵを用いて、前記取り出した検知ＩＤを持つ検知ユニットＳＵによって検知される被監視者Ｏｂの状況を確認する動作の実行中であるか否かを判定する。この判定の結果、前記状況確認動作の実行中ではない場合（Ｎｏ）には、対応関連処理部４１２３は、処理Ｓ４７を実行し、一方、前記判定の結果、前記状況確認動作の実行中である場合（Ｙｅｓ）には、対応関連処理部４１２３は、前記実行中の状況確認処理部４１２２の動作を強制終了し（Ｓ４６）、処理Ｓ４７を実行する。
【００９３】
この処理Ｓ４７では、携帯端末ユニットＴＡは、対応関連処理部４１２３によって、前記取り出した検知ＩＤにかかる監視情報画面を表示画面記憶部４２１から削除（消去）する。そして、携帯端末ユニットＴＡは、ＴＡ監視処理部４１２によって、前記取り出した検知ＩＤおよび携帯端末ＩＤそれぞれを検知ＩＤフィールド４２３１および状況確認中フィールド４２３６それぞれに登録し、かつ、対応フィールド４２３７にフラグ「０」を登録しているレコードを検索し、この検索したレコードにおける状況確認中フィールド４２３６および対応フィールド４２３７それぞれにフラグ「０」およびフラグ「１」それぞれを登録して更新する。これによって、前記携帯端末ＩＤを持つ携帯端末ユニットＴＡのユーザ（監視者）が前記検知ＩＤを持つ検知ユニットＳＵによって検知されている被監視者Ｏｂに対し前記対応の意思が表明された事態が、監視情報テーブルＭＴに登録され、前記事態が、ＴＡ監視情報記憶部４２２に記憶される。そして、携帯端末ユニットＴＡは、これら各通信信号の受信に伴う動作を終了する。
【００９４】
この処理Ｓ４８では、携帯端末ユニットＴＡは、ＴＡ監視処理部１１２によって、前記受信した通信信号に応じた適宜な処理を実行し、これら各通信信号の受信に伴う動作を終了する。
【００９５】
次に、このような携帯端末ユニット間の連携動作について、一具体例を挙げて説明する。図１２は、一例として、２個の携帯端末ユニット間の連携動作を説明するためのシーケンス図である。
【００９６】
この一具体例では、図１および図１２に示すように、複数の携帯端末ユニットＴＡのうちの介護士ＮＡさんが取り扱う第１携帯端末ユニットＴＡ−１および介護士ＮＢさんが取り扱う第２携帯端末ユニットＴＡ−２に着目してその連携動作が説明される。なお、この一具体例では、監視情報は、検知ユニットＳＵ−２にかかる情報のみで、他に監視情報は無いものとする。また、第１および第２携帯端末ユニットＴＡ−１、ＴＡ−２の各携帯端末ＩＤは、それぞれ、ＴＡ−１、ＴＡ−２であり、被監視者Ｏｂ−２（Ｂさん）を検知している第２検知ユニットＳＵ−２の検知ＩＤは、ＳＵ−２である。
【００９７】
図１２において、介護士ＮＡさんが第１携帯端末ユニットＴＡ−１にログインすると、第１携帯端末ユニットＴＡ−１は、処理Ｓ１１によって待ち受け画面５１−１をＴＡ表示部４６−１に表示し、介護士ＮＢさんが第２携帯端末ユニットＴＡ−２にログインすると、第２携帯端末ユニットＴＡ−２は、処理Ｓ１１によって待ち受け画面５１−２をＴＡ表示部４６−２に表示する。なお、この説明において、第１携帯端末ユニットＴＡ−１の構成等と第２携帯端末ユニットＴＡ−２の構成等とを区別する必要がある場合には、第１携帯端末ユニットＴＡ−１の構成等の符号には、添え字「−１」が付加され、第２携帯端末ユニットＴＡ−２の構成等の符号には、添え字「−２」が付加される。
【００９８】
そして、被監視者Ｏｂ−２（Ｂさん）を検知している検知ユニットＳＵ−２が上述の動作によって被監視者Ｏｂ−２の状態（状況）を判定し、監視情報通信信号を送信すると、管理サーバユニットＳＶを介して、この監視情報通信信号が各携帯端末ユニットＴＡ−１、ＴＡ−２それぞれに受信される。
【００９９】
この監視情報通信信号を受信すると、第１携帯端末ユニットＴＡ−１は、処理Ｓ１２ないし処理Ｓ１６によって、被監視者Ｏｂ−２（検知ＩＤがＳＵ−２である検知ユニットＳＵ−２）に関する監視情報画面５２ａ−１をＴＡ表示部４６−１に表示する（Ｃ１１−１）。同様に、第２携帯端末ユニットＴＡ−２は、処理Ｓ１２ないし処理Ｓ１６によって、被監視者Ｏｂ−２に関する監視情報画面５２ａ−２をＴＡ表示部４６−２に表示する（Ｃ１１−２）。
【０１００】
ここで、介護士ＮＡさんが第１携帯端末ユニットＴＡ−１で「ＬＩＶＥを見る」ボタン５２６を入力操作すると、第１携帯端末ユニットＴＡ−１は、処理Ｓ１８および処理Ｓ１９によって、動画を表示した画像領域５２３ａを持つ監視情報画面５２ｃをＴＡ表示部４６−１に表示し、検知ＩＤおよび携帯端末ＩＤとしてＳＵ−２およびＴＡ−１を収容した状況確認中通知通信信号を管理サーバユニットＳＶへ送信する（Ｃ１２）。
【０１０１】
この状況確認中通知信号を受信すると、管理サーバユニットＳＶは、処理Ｓ３１ないし処理Ｓ３３によって、検知ＩＤおよび携帯端末ＩＤとしてＳＵ−２およびＴＡ−１を収容した状況確認機能禁止指令通信信号を同報通信する。
【０１０２】
この状況確認機能禁止指令通信信号を受信すると、第１携帯端末ユニットＴＡ−１は、無視し、第２携帯端末ユニットＴＡ−２は、処理Ｓ４１ないし処理Ｓ４３によって、確認中情報を持つ他機状況確認中画面５４をＴＡ表示部４６−２に表示し、検知ＩＤとしてＳＵ−２を持つ検知ユニットＳＵ−２にかかる状況確認機能を禁止する。これによって第１および第２携帯端末ユニットＴＡ−１、ＴＡ−２は、互いに連携される。
【０１０３】
ここで、介護士ＮＡさんが第１携帯端末ユニットＴＡ−１で「ＬＩＶＥ終了」ボタン５２７を入力操作すると、第１携帯端末ユニットＴＡ−１は、処理Ｓ１８および処理Ｓ１９によって、１つ戻って、静止画を表示した画像領域５２３ａを持つ監視情報画面５２ａ−１をＴＡ表示部４６−１に表示し、検知ＩＤおよび携帯端末ＩＤとしてＳＵ−２およびＴＡ−１を収容した状況確認解除通知通信信号を管理サーバユニットＳＶへ送信する（Ｃ１４）。
【０１０４】
この状況確認解除通知通信信号を受信すると、管理サーバユニットＳＶは、処理Ｓ３１、処理Ｓ３２および処理Ｓ３４によって、検知ＩＤおよび携帯端末ＩＤとしてＳＵ−２およびＴＡ−１を収容した状況確認機能解除指令通信信号を同報通信する。
【０１０５】
この状況確認機能解除指令通信信号を受信すると、第１携帯端末ユニットＴＡ−１は、無視し、第２携帯端末ユニットＴＡ−２は、処理Ｓ４１および処理Ｓ４４によって、１つ戻って、検知ＩＤとしてＳＵ−２を持つ検知ユニットＳＵ−２にかかる監視情報画面５２ａ−２をＴＡ表示部４６−２に表示し、検知ＩＤとしてＳＵ−２を持つ検知ユニットＳＵ−２にかかる状況確認機能の禁止を解除する（図略）。これによって第１および第２携帯端末ユニットＴＡ−１、ＴＡ−２は、互いに連携される。
【０１０６】
一方、静止画表示や動画表示の監視情報画面５２ａ−１、５２ｃにおいて、介護士ＮＡさんが第１携帯端末ユニットＴＡ−１で「対応する」ボタン５２４を入力操作すると、第１携帯端末ユニットＴＡ−１は、処理Ｓ１８および処理Ｓ１９によって、検知ＩＤおよび携帯端末ＩＤとしてＳＵ−２およびＴＡ−１を収容した対応通知通信信号を管理サーバユニットＳＶへ送信し、待ち受け画面５１−１をＴＡ表示部４６−１に表示する（Ｃ１５−１、Ｃ１５−２）。
【０１０７】
この対応通知通信信号を受信すると、管理サーバユニットＳＶは、処理Ｓ３１、処理Ｓ３２および処理Ｓ３５によって、検知ＩＤおよび携帯端末ＩＤとしてＳＵ−２およびＴＡ−１を収容した対応不要通知通信信号を同報通信する。
【０１０８】
この対応不要通知通信信号を受信すると、第１携帯端末ユニットＴＡ−１は、無視し、第２携帯端末ユニットＴＡ−２は、処理Ｓ４１、処理Ｓ４５、処理Ｓ４６および処理Ｓ４７によって、検知ＩＤとしてＳＵ−２を持つ検知ユニットＳＵ−２にかかる監視情報画面５２ａ−２を削除し、待ち受け画面５１−２をＴＡ表示部４６−２に表示する（Ｃ１６）。これによって第１および第２携帯端末ユニットＴＡ−１、ＴＡ−２は、互いに連携される。
【０１０９】
以上説明したように、本実施形態における被監視者監視システムＭＳ、その管理サーバユニットＳＶおよびこれに実装された方法、ならびに、その携帯端末ユニットＴＡおよびこれに実装された方法は、被監視者Ｏｂの状況を他の携帯端末ユニットＴＡがＬＩＶＥ映像表示モードや声かけモード等の状況確認モードで確認中である場合、前記被監視者Ｏｂの前記状況確認モードの実行を禁止するので、監視情報が複数の携帯端末ユニットＴＡに通知される場合でも、二重に前記監視情報にかかる被監視者Ｏｂの状況を前記状況確認モードで確認することがない。このため、１個の携帯端末ユニットＴＡを扱う一人のユーザ（監視者）に、前記被監視者Ｏｂに対する実際の対応を促すことができる。したがって、上記被監視者監視システムＭＳ、その管理サーバユニットＳＶおよびこれに実装された方法、ならびに、その携帯端末ユニットＴＡおよびこれに実装された方法は、被監視者Ｏｂの状況確認の状態を互いに共有でき、被監視者Ｏｂの状況に応じた対応をより適切なタイミングで実行できる。
【０１１０】
本実施形態における被監視者監視システムＭＳ、その管理サーバユニットＳＶおよびこれに実装された方法、ならびに、その携帯端末ユニットＴＡおよびこれに実装された方法は、自機または他の携帯端末ユニットＴＡが前記監視情報にかかる前記被監視者Ｏｂに実際に対応する意思を受け付ける前に、前記監視情報にかかる前記被監視者Ｏｂの状況の確認を他の携帯端末ユニットＴＡが終了した場合、前記監視情報にかかる前記被監視者Ｏｂの前記状況確認モードの実行の禁止を解除するので、前記他の携帯端末ユニットＴＡを扱うユーザ（監視者Ｙ）が前記対応する意思を表明しなかった場合、この状況を、当該携帯装置ユニットＴＡのユーザ（監視者Ｘ）は、認識することができ、必要に応じて前記状況確認を禁止された後に解除された前記被監視者Ｏｂの状況を確認できる。
【０１１１】
本実施形態における被監視者監視システムＭＳ、その管理サーバユニットＳＶおよびこれに実装された方法、ならびに、その携帯端末ユニットＴＡおよびこれに実装された方法は、確認中情報が表示されるので、当該携帯装置ユニットＴＡのユーザ（監視者Ｘ）は、他の携帯端末ユニットのユーザ（監視者Ｙ）が確認中であることを認識できる。
【０１１２】
本実施形態における被監視者監視システムＭＳ、その管理サーバユニットＳＶおよびこれに実装された方法、ならびに、その携帯端末ユニットＴＡおよびこれに実装された方法は、前記他の携帯端末ユニットＴＡを扱うユーザ（監視者Ｙ）が前記対応する意思を表明した場合に、当該携帯端末ユニットＴＡにおける確認中の状況確認モードを強制終了するので、必要の無くなった被監視者Ｏｂの状況確認を終了できる。
【０１１３】
なお、上述では、携帯端末ユニットＴＡについて説明したが、同様の機能を固定端末ユニットＳＰが有して固定端末ユニットＳＰを端末装置の他の一例としても良く、携帯端末ユニットＴＡと固定端末ユニットＳＰ間でも連携できる。
【０１１４】
本明細書は、上記のように様々な態様の技術を開示しているが、そのうち主な技術を以下に纏める。
【０１１５】
一態様にかかる被監視者監視システムの端末装置は、監視対象である被監視者の所定の行動を検知して通知する、前記被監視者を監視する被監視者監視システムにおける、前記被監視者に関する監視情報を受信して表示する端末装置であって、前記監視情報を受信してから、前記監視情報にかかる前記被監視者に実際に対応する意思を受け付けるまでに、前記被監視者の状況を確認するための状況確認モードを含む複数の動作モードを持ち、前記受信した前記監視情報にかかる前記被監視者の状況を他の端末装置が前記状況確認モードで確認中である場合、前記受信した前記監視情報にかかる前記被監視者の状況確認モードの実行を禁止する。他の一態様では、好ましくは、被監視者監視システムの端末装置は、監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムにおける前記端末装置であって、通信を行うための通信部と、表示を行う表示部と、入力操作を受け付ける入力部と、前記被監視者の状況を確認するための状況確認処理部と、前記監視情報を収容した監視情報通信信号を前記通信部で受信した場合に、前記監視情報通信信号に収容された前記監視情報を前記表示部に表示する表示処理部とを備え、前記状況確認処理部は、前記監視情報にかかる前記被監視者の状況の確認を禁止する指令を通知するための状況確認機能禁止指令通信信号を前記通信部で受信した場合に、前記監視情報にかかる前記被監視者の状況を確認するための動作を禁止する。他の一態様では、好ましくは、上述の被監視者監視システムの端末装置は、前記監視情報を受信してから、前記監視情報にかかる前記被監視者に実際に対応する意思を受け付けるまでに、前記被監視者の状況を確認するための状況確認モードを含む複数の動作モードを持ち、前記状況確認処理部は、前記受信した前記監視情報にかかる前記被監視者の状況を確認するために、他の端末装置が前記状況確認モードを実行している間に、前記監視情報にかかる前記被監視者の状況の確認を禁止する指令を通知するための状況確認機能禁止指令通信信号を前記通信部で受信した場合、前記受信した前記監視情報にかかる前記被監視者の状況確認モードの実行を禁止する。
【０１１６】
このような端末装置は、前記監視情報にかかる被監視者の状況を他の端末装置が状況確認モードで確認中である場合、前記監視情報にかかる前記被監視者の状況確認モードの実行を禁止するので、前記監視情報が複数の端末装置に通知される場合でも、二重に前記監視情報にかかる被監視者の状況を状況確認モードで確認することがない。このため、１個の端末装置を扱う一人のユーザ（監視者）に、前記被監視者に対する実際の対応を促すことができる。したがって、上記端末装置は、被監視者の状況確認の状態を互いに共有でき、被監視者の状況に応じた対応をより適切なタイミングで実行できる。
【０１１７】
他の一態様では、上述の被監視者監視システムの端末装置において、自機または他の端末装置が前記監視情報にかかる前記被監視者に実際に対応する意思を受け付ける前に、前記受信した前記監視情報にかかる前記被監視者の状況の確認を前記他の端末装置が終了した場合、前記受信した前記監視情報にかかる前記被監視者の状況確認モードの実行の禁止を解除する。他の一態様では、好ましくは、上述の被監視者監視システムの端末装置において、前記状況確認処理部は、前記入力部から、前記監視情報にかかる前記被監視者に実際に対応する意思を受け付ける前に、または、前記監視情報にかかる前記被監視者に実際に対応する意思を他の端末装置で受け付けた旨を通知するための対応不要通知通信信号を前記通信部で受信する前に、前記監視情報にかかる前記禁止を解除することを指令する旨を通知するための状況確認機能解除指令通信信号を前記通信部で受信した場合に、前記監視情報にかかる前記禁止を解除する。
【０１１８】
このような端末装置は、自機または他の端末装置が前記監視情報にかかる被監視者に実際に対応する意思を受け付ける前に、前記監視情報にかかる被監視者の状況の確認を他の端末装置が終了した場合、前記監視情報にかかる被監視者の状況確認モードの実行の禁止を解除するので、前記他の端末装置を扱うユーザ（監視者）が前記対応する意思を表明しなかった場合、この状況を、当該端末装置のユーザ（監視者）は、認識することができ、必要に応じて前記状況確認を禁止された後に解除された被監視者の状況を確認できる。
【０１１９】
他の一態様では、これら上述の被監視者監視システムの端末装置において、前記受信した前記監視情報にかかる前記被監視者の状況を他の端末装置が前記状況確認モードで確認中である場合、前記受信した前記監視情報にかかる前記被監視者の状況を他の端末装置が確認中である旨を表す確認中情報を表示する。他の一態様では、好ましくは、これら上述の被監視者監視システムの端末装置において、前記表示処理部は、前記状況確認機能禁止指令通信信号を前記通信部で受信した場合に、前記監視情報にかかる前記被監視者の状況を他の端末装置が確認中である旨を表す確認中情報を前記表示部に表示する。
【０１２０】
このような端末装置は、確認中情報が表示されるので、ユーザ（監視者）は、他の端末装置のユーザ（監視者）が確認中であることを認識できる。
【０１２１】
他の一態様では、これら上述の被監視者監視システムの端末装置において、前記他の端末装置が前記監視情報にかかる前記被監視者に実際に対応する意思を受け付けた場合に、前記監視情報の表示画面を消去する。
【０１２２】
このような端末装置は、相互に端末装置間で連携を図ることができる。
【０１２３】
また、他の一態様では、これら上述の被監視者監視システムの端末装置において、前記受信した前記監視情報にかかる前記被監視者の状況を前記状況確認モードで確認中である場合に、前記他の端末装置が前記受信した前記監視情報にかかる前記被監視者に実際に対応する意思を受け付けた場合、前記確認中の状況確認モードを強制終了する。他の一態様では、好ましくは、これら上述の被監視者監視システムの端末装置において、前記監視情報にかかる前記被監視者の状況を確認する前記状況確認処理部の動作を実行中である場合であって、前記対応不要通知通信信号を前記通信部で受信した場合に、前記実行中の前記状況確認処理部の動作を強制終了する対応関連処理部をさらに備える。
【０１２４】
このような端末装置は、前記他の端末装置を扱うユーザ（監視者）が前記対応する意思を表明した場合に、確認中の状況確認モードを強制終了するので、必要の無くなった被監視者の状況確認を終了できる。
【０１２５】
他の一態様では、これら上述の被監視者監視システムの端末装置において、前記被監視者の状況を確認するための状況確認モードを含む複数の動作モードを持ち、前記状況確認モードは、前記被監視者を撮像した動画を前記表示部に表示すること、自機の音声入出力部により前記被監視者に声をかけること、および、前記被監視者と通話することのうちの少なくともいずれかである。
【０１２６】
他の一態様にかかる被監視者監視システムの端末処理方法は、監視対象である被監視者の所定の行動を検知して通知する、前記被監視者を監視する被監視者監視システムにおける、前記被監視者に関する監視情報を受信して表示する端末処理方法であって、前記監視情報を受信してから、前記監視情報にかかる前記被監視者に実際に対応する意思を受け付けるまでに、前記被監視者の状況を確認するための状況確認モードを含む複数の動作モードを持ち、前記受信した前記監視情報にかかる前記被監視者の状況を他の端末装置が前記状況確認モードで確認中である場合、前記受信した前記監視情報にかかる前記被監視者の状況確認モードの実行を禁止する。他の一態様では、好ましくは、被監視者監視システムの端末処理方法は、監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムにおける前記端末装置の端末処理方法であって、前記被監視者の状況を確認するための状況確認処理工程と、前記監視情報を収容した監視情報通信信号を通信部で受信した場合に、前記監視情報通信信号に収容された前記監視情報を表示部に表示する表示処理工程とを備え、前記状況確認処理工程は、前記監視情報にかかる前記被監視者の状況の確認を禁止する指令を通知するための状況確認機能禁止指令通信信号を前記通信部で受信した場合に、前記監視情報にかかる前記被監視者の状況を確認する前記状況確認処理工程の実行を禁止する。
【０１２７】
このような端末処理方法は、前記監視情報にかかる被監視者の状況を他の端末装置が状況確認モードで確認中である場合、前記監視情報にかかる前記被監視者の状況確認モードの実行を禁止するので、前記監視情報が複数の端末装置に通知される場合でも、二重に前記監視情報にかかる被監視者の状況を状況確認モードで確認することがない。このため、１個の端末装置を扱う一人のユーザ（監視者）に、前記被監視者に対する実際の対応を促すことができる。したがって、上記端末処理方法は、被監視者の状況確認の状態を互いに共有でき、被監視者の状況に応じた対応をより適切なタイミングで実行できる。
【０１２８】
他の一態様にかかる被監視者監視システムの中央処理装置は、監視対象である被監視者の所定の行動を検知して通知する、前記被監視者を監視する被監視者監視システムにおける、前記被監視者に関する監視情報を管理する中央処理装置であって、複数の端末装置のうちの或る端末装置から、前記監視情報にかかる前記被監視者の状況を、前記被監視者の状況を確認するための状況確認モードで確認中である旨を通知するための状況確認中通知通信信号を受信した場合に、前記複数の端末装置のうちの前記或る端末装置を除く他の端末装置に、前記監視情報にかかる前記状況確認モードの実行の禁止を指令する旨を通知するための状況確認機能禁止指令通信信号を送信する。他の一態様では、好ましくは、被監視者監視システムの中央処理装置は、監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムにおける前記中央処理装置であって、通信を行うための通信部と、前記監視情報を管理する監視処理部とを備え、前記監視処理部は、前記複数の端末装置のうちの或る端末装置から、前記監視情報にかかる前記被監視者の状況を、前記被監視者の状況を確認するための状況確認処理部で確認中である旨を通知するための状況確認中通知通信信号を前記通信部で受信した場合に、前記複数の端末装置のうちの前記或る端末装置を除く他の端末装置に、前記監視情報にかかる前記被監視者の状況の確認を禁止する指令を通知するための状況確認機能禁止指令通信信号を前記通信部で送信する。
【０１２９】
他の一態様では、上述の被監視者監視システムの中央処理装置において、前記他の端末装置が前記監視情報にかかる前記被監視者に実際に対応する意思を受け付けた場合に、前記監視情報の表示画面を消去する。
【０１３０】
このような中央処理装置は、相互に端末装置間で連携を図ることができる。
【０１３１】
他の一態様にかかる被監視者監視システムの中央処理方法は、監視対象である被監視者の所定の行動を検知して通知する、前記被監視者を監視する被監視者監視システムにおける、前記被監視者に関する監視情報を管理する中央処理方法であって、複数の端末装置のうちの或る端末装置から、前記監視情報にかかる前記被監視者の状況を、前記被監視者の状況を確認するための状況確認モードで確認中である旨を通知するための状況確認中通知通信信号を受信した場合に、前記複数の端末装置のうちの前記或る端末装置を除く他の端末装置に、前記監視情報にかかる前記状況確認モードの実行の禁止を指令する旨を通知するための状況確認機能禁止指令通信信号を送信する。他の一態様では、好ましくは、被監視者監視システムの中央処理方法は、監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムにおける前記中央処理方法であって、前記監視情報を管理する監視処理工程を備え、前記監視処理工程は、前記複数の端末装置のうちの或る端末装置から、前記監視情報にかかる前記被監視者の状況を、前記被監視者の状況を確認するための状況確認処理部で確認中である旨を通知するための状況確認中通知通信信号を通信部で受信した場合に、前記複数の端末装置のうちの前記或る端末装置を除く他の端末装置に、前記監視情報にかかる前記被監視者の状況の確認を禁止する指令を通知するための状況確認機能禁止指令通信信号を前記通信部で送信する禁止指令工程を備える。
【０１３２】
このような被監視者監視システムの中央処理装置および中央処理方法は、前記状況確認中通知通信信号を受信した場合に、前記況確認機能禁止指令通信信号を送信するので、前記監視情報が複数の端末装置に通知される場合でも、二重に前記監視情報にかかる被監視者の状況を状況確認モードで確認することがない。このため、１個の端末装置を扱う一人のユーザ（監視者）に、前記被監視者に対する実際の対応を促すことができる。したがって、上記中央処理装置および中央処理方法端末処理方法は、被監視者の状況確認の状態を互いに共有でき、被監視者の状況に応じた対応をより適切なタイミングで実行できる。
【０１３３】
他の一態様では、上述の被監視者監視システムの中央処理方法において、前記他の端末装置が前記監視情報にかかる前記被監視者に実際に対応する意思を受け付けた場合に、前記監視情報の表示画面を消去する。
【０１３４】
このような中央処理方法は、相互に端末装置間で連携を図ることができる。
【０１３５】
他の一態様にかかる被監視者監視システムは、監視対象である被監視者の所定の行動を検知して通知する、前記被監視者を監視する被監視者監視システムであって、前記被監視者に関する監視情報を受信して表示するための、これら上述のいずれかの端末装置と、前記監視情報を管理するための、上述の中央処理装置とを備える。
【０１３６】
このような被監視者監視システムは、被監視者の状況確認の状態を互いに共有でき、被監視者の状況に応じた対応をより適切なタイミングで実行できる。
【０１３７】
他の一態様では、上述の被監視者監視システムにおいて、前記他の端末装置が前記監視情報にかかる前記被監視者に実際に対応する意思を受け付けた場合に、前記監視情報の表示画面を消去する。
【０１３８】
このような被監視者監視システムは、相互に端末装置間で連携を図ることができる。
【０１３９】
この出願は、２０１５年３月２６日に出願された日本国特許出願特願２０１５−６５２８５を基礎とするものであり、その内容は、本願に含まれるものである。
【０１４０】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１４１】
本発明によれば、被監視者監視システムの端末装置および端末処理方法、被監視者監視システムの中央処理装置および中央処理方法、ならびに、被監視者監視システムを提供できる。
【要約】
本発明の端末装置および該方法は、被監視者を検知して監視する被監視者監視システムの、監視情報を受信して表示する装置および方法であり、監視情報を受信してから被監視者に実際に対応する意思を受け付けるまでに、被監視者の状況を確認するための状況確認モードを含む複数の動作モードを持ち、被監視者の状況を他機が状況確認モードで確認中である場合、その被監視者の状況確認モードの実行を禁止する。そして、本発明は、このような端末装置を用いた被監視者監視システムならびにその中央処理装置および中央処理方法である。【図１】
0006015882.tif 000002
【図２】
0006015882.tif 000003
【図３】
0006015882.tif 000004
【図４】
0006015882.tif 000005
【図５】
0006015882.tif 000006
【図６】
0006015882.tif 000007
【図７】
0006015882.tif 000008
【図８】
0006015882.tif 000009
【図９】
0006015882.tif 000010
【図１０】
0006015882.tif 000011
【図１１】
0006015882.tif 000012
【図１２】
0006015882.tif 000013